(57)【要約】【課題】コンタクトレンズを提供する。【解決手段】コンタクトレンズ１００は、中心点を含む中心領域１１０と、中心領域１１０を対称に取り囲む環状領域１２０と、環状領域１２０を対称に取り囲む周辺領域１３０と、を含み、周辺領域１３０は少なくとも１つのカラーパターン部を含み、環状領域１２０は少なくとも１つの臨界点値を含む。特定の条件を満たすと、中心領域１１０から離れる箇所の光屈折率の向上幅を緩和可能で、緩やかな焦点ぼけ程度を提供することができ、長時間着用場合の快適性の向上に寄与し、更に近視の予防又は抑制に寄与する。【選択図】図１
2019008288.tif 000002
【特許請求の範囲】
【請求項１】
コンタクトレンズの中心点を含む中心領域と、
前記中心領域を対称に取り囲む環状領域と、
前記環状領域を対称に取り囲む周辺領域と、
を含み、
前記周辺領域は少なくとも１つのカラーパターン部を含み、前記環状領域は少なくとも１つの臨界点値を含み、
前記中心領域の光屈折率をＰＯＷＣとし、前記環状領域の最大光屈折率をＰＰｍａｘとすると、
−０．５０Ｄ≦ＰＯＷＣ≦０．５０Ｄ、及び
２．００Ｄ≦｜ＰＰｍａｘ−ＰＯＷＣ｜≦２０．００Ｄ
の条件を満たすコンタクトレンズ。
【請求項２】
前記環状領域の最大光屈折率をＰＰｍａｘとすると、
０Ｄ≦ＰＰｍａｘ≦１５．００Ｄ
の条件を満たす請求項１に記載のコンタクトレンズ。
【請求項３】
前記環状領域は少なくとも１つの高臨界点値を含み、
前記高臨界点値をＰＰＨとすると、
−５．００Ｄ≦ＰＰＨ≦２０．００Ｄ
の条件を満たす請求項１に記載のコンタクトレンズ。
【請求項４】
前記環状領域は少なくとも１つの低臨界点値を含み、
前記低臨界点値をＰＰＬとすると、
−１０．００Ｄ≦ＰＰＬ≦０Ｄ
の条件を満たす請求項１に記載のコンタクトレンズ。
【請求項５】
前記環状領域は少なくとも１つの高臨界点値を含み、
前記環状領域の最大光屈折率をＰＰｍａｘとし、前記高臨界点値をＰＰＨとすると、
−５．００≦｜ＰＰｍａｘ／ＰＰＨ｜≦２０．００
の条件を満たす請求項１に記載のコンタクトレンズ。
【請求項６】
前記環状領域は少なくとも１つの低臨界点値を含み、
前記環状領域の最大光屈折率をＰＰｍａｘとし、前記低臨界点値をＰＰＬとすると、
−３０．００≦｜ＰＰｍａｘ／ＰＰＬ｜≦  ０
の条件を満たす請求項１に記載のコンタクトレンズ。
【請求項７】
前記中心領域の最大直径をＤｉＣとすると、
１．０ｍｍ≦ＤｉＣ≦４．５ｍｍ
の条件を満たす請求項１に記載のコンタクトレンズ。
【請求項８】
前記中心領域の光屈折率をＰＯＷＣとし、前記環状領域の最大光屈折率をＰＰｍａｘとすると、
２．００Ｄ≦｜ＰＰｍａｘ−ＰＯＷＣ｜≦８．００Ｄ
の条件を満たす請求項１に記載のコンタクトレンズ。
【請求項９】
前記周辺領域は、赤、橙、黄、緑、青、紺、紫、黒、白、銀又は金色から選ばれた第１のカラーパターン部と、前記第１のカラーパターン部の色と異なる第２のカラーパターン部との少なくとも２つのカラーパターン部を含む請求項１に記載のコンタクトレンズ。
【請求項１０】
前記周辺領域は、詰まって充填され、間断的に充填され又は点状に分布した少なくとも１つの光遮断リングを含む請求項１に記載のコンタクトレンズ。
【請求項１１】
コンタクトレンズの中心点を含む中心領域と、
前記中心領域を対称に取り囲む環状領域と、
前記環状領域を対称に取り囲む周辺領域と、
を含み、
前記周辺領域は少なくとも１つのカラーパターン部を含み、前記環状領域は少なくとも１つの臨界点値を含み、
前記中心領域の光屈折率をＰＯＷＣとし、前記環状領域の最大光屈折率をＰＰｍａｘとすると、
２．００Ｄ≦｜ＰＰｍａｘ−ＰＯＷＣ｜≦２０．００Ｄ
の条件を満たすコンタクトレンズ。
【請求項１２】
前記中心領域の光屈折率ＰＯＷＣは、
−７．００Ｄ≦ＰＯＷＣ≦−０．２５Ｄ
の条件を満たす請求項１１に記載のコンタクトレンズ。
【請求項１３】
前記周辺領域は、赤、橙、黄、緑、青、紺、紫、黒、白、銀又は金色から選ばれた第１のカラーパターン部と、前記第１のカラーパターン部の色と異なる第２のカラーパターン部との少なくとも２つのカラーパターン部を含む請求項１１に記載のコンタクトレンズ。
【請求項１４】
前記環状領域は少なくとも１つの高臨界点値を含み、
前記環状領域の最大光屈折率をＰＰｍａｘとし、前記高臨界点値をＰＰＨとすると、
−５．００≦｜ＰＰｍａｘ／ＰＰＨ｜≦２０．００
の条件を満たす請求項１１に記載のコンタクトレンズ。
【請求項１５】
前記環状領域は少なくとも１つの低臨界点値を含み、
前記環状領域の最大光屈折率をＰＰｍａｘとし、前記低臨界点値をＰＰＬとすると、
−３０．００≦｜ＰＰｍａｘ／ＰＰＬ｜≦０
の条件を満たす請求項１１に記載のコンタクトレンズ。
【請求項１６】
コンタクトレンズの中心点を含む中心領域と、
前記中心領域を対称に取り囲む環状領域と、
前記環状領域を対称に取り囲む周辺領域と、
を含み、
前記中心領域外に少なくとも１つの光遮断リングを含み、前記環状領域は少なくとも１つの臨界点値を含み、
前記中心領域の光屈折率をＰＯＷＣとし、前記環状領域の最大光屈折率をＰＰｍａｘとすると、
２．００Ｄ≦｜ＰＰｍａｘ−ＰＯＷＣ｜≦２０．００Ｄ
の条件を満たすコンタクトレンズ。
【請求項１７】
前記周辺領域は少なくとも１つのカラーパターン部を含む請求項１６に記載のコンタクトレンズ。
【請求項１８】
前記光遮断リングの最小内径をＤＢｉとすると、
３．５ｍｍ≦ＤＢｉ≦１１．０ｍｍ
の条件を満たす請求項１６に記載のコンタクトレンズ。
【請求項１９】
前記光遮断リングの最大外径をＤＢｏとすると、
６．０ｍｍ≦ＤＢｏ≦１１．０ｍｍ
の条件を満たす請求項１６に記載のコンタクトレンズ。
【請求項２０】
前記光遮断リングの色は、赤、橙、黄、緑、青、紺、紫、黒、白、銀又は金色から選ばれる請求項１６に記載のコンタクトレンズ。
【請求項２１】
コンタクトレンズの中心点を含む中心領域と、
前記中心領域を対称に取り囲む環状領域と、
前記環状領域を対称に取り囲む周辺領域と、
を含み、
前記環状領域は、内から外へ、高臨界点値である第１の臨界点値と、低臨界点値である第２の臨界点値との少なくとも２つの臨界点値を含み、
前記中心領域の光屈折率をＰＯＷＣとし、前記環状領域の最大光屈折率をＰＰｍａｘとし、前記第１の臨界点値をＰＣＰ１とすると、
２．００Ｄ≦｜ＰＰｍａｘ−ＰＯＷＣ｜≦２０．００Ｄ、及び
０Ｄ＜ＰＣＰ１−ＰＯＷＣ≦３．８０Ｄ
の条件を満たすコンタクトレンズ。
【請求項２２】
前記第１の臨界点値をＰＣＰ１とし、前記第２の臨界点値をＰＣＰ２とすると、
−７．００Ｄ≦ＰＣＰ２−ＰＣＰ１≦０Ｄ
の条件を満たす請求項２１に記載のコンタクトレンズ。
【請求項２３】
前記第１の臨界点値をＰＣＰ１とし、前記第２の臨界点値をＰＣＰ２とすると、
−１４．００Ｄ≦ＰＣＰ２−ＰＣＰ１≦−７．５０Ｄ
の条件を満たす請求項２１に記載のコンタクトレンズ。
【請求項２４】
前記環状領域は、内から外へ、前記第１の臨界点値と、前記第２の臨界点値と、第３の臨界点値との少なくとも３つの臨界点値を含み、
前記第２の臨界点値をＰＣＰ２とし、前記第３の臨界点値をＰＣＰ３とすると、
０Ｄ≦ＰＣＰ３−ＰＣＰ２≦１２．００Ｄ
の条件を満たす請求項２１に記載のコンタクトレンズ。
【請求項２５】
前記環状領域は、内から外へ、前記第１の臨界点値と、前記第２の臨界点値と、第３の臨界点値との少なくとも３つの臨界点値を含み、
前記第２の臨界点値をＰＣＰ２とし、前記第３の臨界点値をＰＣＰ３とすると、
１４．００Ｄ≦ＰＣＰ３−ＰＣＰ２≦２０．００Ｄの条件を満たす請求項２１に記載のコンタクトレンズ。
【請求項２６】
前記中心領域の光屈折率をＰＯＷＣとし、前記第１の臨界点値をＰＣＰ１とし、前記第２の臨界点値をＰＣＰ２とすると、
−１．７５≦（ＰＣＰ２−ＰＣＰ１）／（ＰＣＰ１−ＰＯＷＣ）≦０
の条件を満たす請求項２１に記載のコンタクトレンズ。
【請求項２７】
前記中心領域の光屈折率をＰＯＷＣとし、前記第１の臨界点値をＰＣＰ１とし、前記第２の臨界点値をＰＣＰ２とすると、
−２５≦（ＰＣＰ２−ＰＣＰ１）／（ＰＣＰ１−ＰＯＷＣ）≦−１．９
の条件を満たす請求項２１に記載のコンタクトレンズ。
【請求項２８】
前記環状領域は、内から外へ、前記第１の臨界点値と、前記第２の臨界点値と、高臨界点値である第３の臨界点値との少なくとも３つの臨界点値を含む請求項２１に記載のコンタクトレンズ。
【請求項２９】
前記環状領域は、内から外へ、前記第１の臨界点値と、前記第２の臨界点値と、中臨界点値である第３の臨界点値との少なくとも３つの臨界点値を含む請求項２１に記載のコンタクトレンズ。
【請求項３０】
前記環状領域は、内から外へ、前記第１の臨界点値と、前記第２の臨界点値と、低臨界点値である第３の臨界点値との少なくとも３つの臨界点値を含む請求項２１に記載のコンタクトレンズ。
【請求項３１】
コンタクトレンズの中心点を含む中心領域と、
前記中心領域を対称に取り囲む環状領域と、
前記環状領域を対称に取り囲む周辺領域と、
を含み、
前記環状領域は、内から外へ、高臨界点値である第１の臨界点値と、第２の臨界点値との少なくとも２つの臨界点値を含み、
前記中心領域の光屈折率をＰＯＷＣとし、前記環状領域の最大光屈折率をＰＰｍａｘとし、前記第１の臨界点値をＰＣＰ１とすると、
２．００Ｄ≦｜ＰＰｍａｘ−ＰＯＷＣ｜≦２０．００Ｄ、及び
４．００Ｄ≦ＰＣＰ１−ＰＯＷＣ≦２０．００Ｄ
の条件を満たすコンタクトレンズ。
【請求項３２】
前記第１の臨界点値をＰＣＰ１とし、前記第２の臨界点値をＰＣＰ２とすると、
−７．００Ｄ≦ＰＣＰ２−ＰＣＰ１≦０Ｄ
の条件を満たす請求項３１に記載のコンタクトレンズ。
【請求項３３】
前記第１の臨界点値をＰＣＰ１とし、前記第２の臨界点値をＰＣＰ２とすると、
−１４．００Ｄ≦ＰＣＰ２−ＰＣＰ１≦−７．５０Ｄ
の条件を満たす請求項３１に記載のコンタクトレンズ。
【請求項３４】
前記環状領域は、内から外へ、前記第１の臨界点値と、前記第２の臨界点値と、第３の臨界点値との少なくとも３つの臨界点値を含み、
前記第２の臨界点値をＰＣＰ２とし、前記第３の臨界点値をＰＣＰ３とすると、
０Ｄ≦ＰＣＰ３−ＰＣＰ２≦１２．００Ｄ
の条件を満たす請求項３１に記載のコンタクトレンズ。
【請求項３５】
前記環状領域は、内から外へ、前記第１の臨界点値と、前記第２の臨界点値と、第３の臨界点値との少なくとも３つの臨界点値を含み、
前記第２の臨界点値をＰＣＰ２とし、前記第３の臨界点値をＰＣＰ３とすると、
１４．００Ｄ≦ＰＣＰ３−ＰＣＰ２≦２０．００Ｄ
の条件を満たす請求項３１に記載のコンタクトレンズ。
【請求項３６】
前記中心領域の光屈折率をＰＯＷＣとし、前記第１の臨界点値をＰＣＰ１とし、前記第２の臨界点値をＰＣＰ２とすると、
−１．７５≦（ＰＣＰ２−ＰＣＰ１）／（ＰＣＰ１−ＰＯＷＣ）≦０
の条件を満たす請求項３１に記載のコンタクトレンズ。
【請求項３７】
前記中心領域の光屈折率をＰＯＷＣとし、前記第１の臨界点値をＰＣＰ１とし、前記第２の臨界点値をＰＣＰ２とすると、
−２５≦（ＰＣＰ２−ＰＣＰ１）／（ＰＣＰ１−ＰＯＷＣ）≦−１．９
の条件を満たす請求項３１に記載のコンタクトレンズ。
【請求項３８】
前記第２の臨界点値は高臨界点値である請求項３１に記載のコンタクトレンズ。
【請求項３９】
前記第２の臨界点値は中臨界点値である請求項３１に記載のコンタクトレンズ。
【請求項４０】
前記第２の臨界点値は低臨界点値である請求項３１に記載のコンタクトレンズ。
【請求項４１】
コンタクトレンズの中心点を含む中心領域と、
前記中心領域を対称に取り囲む環状領域と、
前記環状領域を対称に取り囲む周辺領域と、
を含み、
前記環状領域は少なくとも１つの臨界点値を含み、前記中心点に最も近づく臨界点値は第１の臨界点値であり、且つ前記第１の臨界点値は低臨界点値であり、
前記中心領域の光屈折率をＰＯＷＣとし、前記環状領域の最大光屈折率をＰＰｍａｘとし、前記第１の臨界点値をＰＣＰ１とすると、
２．００Ｄ≦｜ＰＰｍａｘ−ＰＯＷＣ｜≦２０．００Ｄ、及び
−５．００Ｄ≦ＰＣＰ１−ＰＯＷＣ＜０Ｄ
の条件を満たすコンタクトレンズ。
【請求項４２】
前記環状領域は、内から外へ、前記第１の臨界点値と、第２の臨界点値との少なくとも２つの臨界点値を含み、
前記第２の臨界点値をＰＣＰ２とすると、
−７．００Ｄ≦ＰＣＰ２−ＰＣＰ１≦０Ｄ
の条件を満たす請求項４１に記載のコンタクトレンズ。
【請求項４３】
前記環状領域は、内から外へ、前記第１の臨界点値と、第２の臨界点値との少なくとも２つの臨界点値を含み、
前記第２の臨界点値をＰＣＰ２とすると、
−１４．００Ｄ≦ＰＣＰ２−ＰＣＰ１≦−７．５０Ｄ
の条件を満たす請求項４１に記載のコンタクトレンズ。
【請求項４４】
前記環状領域は、内から外へ、前記第１の臨界点値と、第２の臨界点値と、第３の臨界点値との少なくとも３つの臨界点値を含み、
前記第２の臨界点値をＰＣＰ２とし、前記第３の臨界点値をＰＣＰ３とすると、
０Ｄ≦ＰＣＰ３−ＰＣＰ２≦１２．００Ｄ
の条件を満たす請求項４１に記載のコンタクトレンズ。
【請求項４５】
前記環状領域は、内から外へ、前記第１の臨界点値と、第２の臨界点値と、第３の臨界点値との少なくとも３つの臨界点値を含み、
前記第２の臨界点値をＰＣＰ２とし、前記第３の臨界点値をＰＣＰ３とすると、
１４．００Ｄ≦ＰＣＰ３−ＰＣＰ２≦２０．００Ｄ
の条件を満たす請求項４１に記載のコンタクトレンズ。
【請求項４６】
前記環状領域は、内から外へ、前記第１の臨界点値と、第２の臨界点値との少なくとも２つの臨界点値を含み、前記中心領域の光屈折率はＰＯＷＣであり、
前記第２の臨界点値をＰＣＰ２とすると、
−１．７５≦（ＰＣＰ２−ＰＣＰ１）／（ＰＣＰ１−ＰＯＷＣ）≦０
の条件を満たす請求項４１に記載のコンタクトレンズ。
【請求項４７】
前記環状領域は、内から外へ、前記第１の臨界点値と、第２の臨界点値との少なくとも２つの臨界点値を含み、前記中心領域の光屈折率はＰＯＷＣであり、
前記第２の臨界点値をＰＣＰ２とすると、
−２５≦（ＰＣＰ２−ＰＣＰ１）／（ＰＣＰ１−ＰＯＷＣ）≦−１．９
の条件を満たす請求項４１に記載のコンタクトレンズ。
【請求項４８】
前記環状領域は、内から外へ、前記第１の臨界点値と、高臨界点値である第２の臨界点値との少なくとも２つの臨界点値を含む請求項４１に記載のコンタクトレンズ。
【請求項４９】
前記環状領域は、内から外へ、前記第１の臨界点値と、中臨界点値である第２の臨界点値との少なくとも２つの臨界点値を含む請求項４１に記載のコンタクトレンズ。
【請求項５０】
前記環状領域は、内から外へ、前記第１の臨界点値と、低臨界点値である第２の臨界点値との少なくとも２つの臨界点値を含む請求項４１に記載のコンタクトレンズ。
【請求項５１】
請求項１、請求項１１、請求項１６、請求項２１、請求項３１及び請求項４１の何れか１項に記載のコンタクトレンズと、
前記コンタクトレンズを浸す浸潤溶液と、
を含み、
前記コンタクトレンズと前記浸潤溶液との少なくとも一方が毛様体筋麻痺剤を含むコンタクトレンズ製品。
【発明の詳細な説明】
【技術分野】
【０００１】
本発明は、コンタクトレンズ及びコンタクトレンズ製品に関し、特に、中心領域から離れる箇所の光屈折率の向上幅を緩和可能で、近視を予防又は抑制することのできるコンタクトレンズ及びコンタクトレンズ製品に関する。
【背景技術】
【０００２】
視力制御機能を持つ従来のコンタクトレンズは、焦点ぼけ程度の設計として、一般的に、中心領域から離れると、光屈折率が迅速に向上し、その光屈折率の激しい変化により、着用者の不快感が厳しくなり、長時間に治療コースに合わせて使用することができず、視力制御の効果が大幅に低下する。なお、正反識別機能を有する従来のコンタクトレンズは、コンタクトレンズの表面に凹んだ微細な溝を設け、或は突き出たドットを設けるが、凹んだ微細な溝によりコンタクトレンズがかけらになりやすく、突き出たドットにより着用者の異物感が厳しくなる。
また、視力制御機能を持つ従来のコンタクトレンズは、光束を制御できず、光束が多すぎれば着用者が羞明になりやすく、光束が少なすぎれば画像をはっきり見えなくなる。そのため、如何に前記欠陥を避けて視力制御機能を持たせるようにコンタクトレンズの構造を改良するかは、当業者の目標になっている。
【発明の概要】
【発明が解決しようとする課題】
【０００３】
本発明の一目的は、近視を予防又は抑制することができ、環状領域が少なくとも１つの臨界点を含み、中心領域から離れる箇所の光屈折率の向上幅を効果的に緩和し、着用の快適性を向上させ、長周期治療の可能性を高くすることができるコンタクトレンズ及びコンタクトレンズ製品を提供することにある。
【課題を解決するための手段】
【０００４】
本発明によると、コンタクトレンズの中心点を含む中心領域と、中心領域を対称に取り囲む環状領域と、環状領域を対称に取り囲む周辺領域と、を含み、周辺領域は少なくとも１つのカラーパターン部を含み、環状領域は少なくとも１つの臨界点値を含む。
中心領域の光屈折率をＰＯＷＣとし、環状領域の最大光屈折率をＰＰｍａｘとすると、
−０．５０Ｄ≦ＰＯＷＣ≦０．５０Ｄ、及び
２．００Ｄ≦｜ＰＰｍａｘ−ＰＯＷＣ｜≦２０．００Ｄ
の条件を満たすコンタクトレンズを提供する。
【０００５】
本発明によると、コンタクトレンズの中心点を含む中心領域と、中心領域を対称に取り囲む環状領域と、環状領域を対称に取り囲む周辺領域と、を含み、周辺領域は少なくとも１つのカラーパターン部を含み、環状領域は少なくとも１つの臨界点値を含む。
中心領域の光屈折率をＰＯＷＣとし、環状領域の最大光屈折率をＰＰｍａｘとすると、
２．００Ｄ≦｜ＰＰｍａｘ−ＰＯＷＣ｜≦２０．００Ｄ
の条件を満たすコンタクトレンズを更に提供する。
【０００６】
本発明によると、また、コンタクトレンズの中心点を含む中心領域と、中心領域を対称に取り囲む環状領域と、環状領域を対称に取り囲む周辺領域と、を含み、中心領域外に少なくとも１つの光遮断リングを含み、環状領域は少なくとも１つの臨界点値を含む。
中心領域の光屈折率をＰＯＷＣとし、環状領域の最大光屈折率をＰＰｍａｘとすると、
２．００Ｄ≦｜ＰＰｍａｘ−ＰＯＷＣ｜≦２０．００Ｄ
の条件を満たすコンタクトレンズを提供する。
【０００７】
本発明によると、更に、コンタクトレンズの中心点を含む中心領域と、中心領域を対称に取り囲む環状領域と、環状領域を対称に取り囲む周辺領域と、を含み、環状領域は、内から外へ、高臨界点値である第１の臨界点値と、低臨界点値である第２の臨界点値との少なくとも２つの臨界点値を含む。
中心領域の光屈折率をＰＯＷＣとし、環状領域の最大光屈折率をＰＰｍａｘとし、第１の臨界点値をＰＣＰ１とすると、
２．００Ｄ≦｜ＰＰｍａｘ−ＰＯＷＣ｜≦２０．００Ｄ、及び
０Ｄ＜ＰＣＰ１−ＰＯＷＣ≦３．８０Ｄ
の条件を満たすコンタクトレンズを提供する。
【０００８】
本発明によると、更に、コンタクトレンズの中心点を含む中心領域と、中心領域を対称に取り囲む環状領域と、環状領域を対称に取り囲む周辺領域と、を含み、環状領域は、内から外へ、高臨界点値である第１の臨界点値と、第２の臨界点値との少なくとも２つの臨界点値を含む。
中心領域の光屈折率をＰＯＷＣとし、環状領域の最大光屈折率をＰＰｍａｘとし、第１の臨界点値をＰＣＰ１とすると、
２．００Ｄ≦｜ＰＰｍａｘ−ＰＯＷＣ｜≦２０．００Ｄ、及び
４．００Ｄ≦ＰＣＰ１−ＰＯＷＣ≦２０．００Ｄ
の条件を満たすコンタクトレンズを提供する。
【０００９】
本発明によると、更に、コンタクトレンズの中心点を含む中心領域と、中心領域を対称に取り囲む環状領域と、環状領域を対称に取り囲む周辺領域と、を含み、環状領域は少なくとも１つの臨界点値を含む。中心点に最も近づく臨界点値は第１の臨界点値であり、且つ第１の臨界点値は低臨界点値である。
中心領域の光屈折率をＰＯＷＣとし、環状領域の最大光屈折率をＰＰｍａｘとし、第１の臨界点値をＰＣＰ１とすると、
２．００Ｄ≦｜ＰＰｍａｘ−ＰＯＷＣ｜≦２０．００Ｄ、及び
−５．００Ｄ≦ＰＣＰ１−ＰＯＷＣ＜０Ｄ
の条件を満たすコンタクトレンズを提供する。
【００１０】
本発明によると、更に、前文の何れの段落に記載のコンタクトレンズと、コンタクトレンズを浸す浸潤溶液と、を含み、コンタクトレンズと浸潤溶液との少なくとも一方が毛様体筋麻痺剤を含むコンタクトレンズ製品を提供する。
【発明の効果】
【００１１】
ＰＯＷＣが上記条件を満たすと、近視趨勢の潜在する患者に使用される場合、光線を網膜に良好に集光させ、はっきり且つ快適な画像を提供することができ、中低度近視の患者に使用される場合、中心領域の光屈折率により近視矯正機能を提供し、必要に応じて中心領域の光屈折率を調整し、光線を網膜に良好に集光させ、はっきり且つ快適な画像を提供することができる。
【００１２】
｜ＰＰｍａｘ−ＰＯＷＣ｜が上記条件を満たすと、緩やかな焦点ぼけ程度を提供し、長時間着用場合の不快適感の軽減に寄与し、長時間の使用可能性を提供して近視抑制の目的を達成させることができる。
【００１３】
ＰＣＰ１−ＰＯＷＣが条件式０Ｄ＜ＰＣＰ１−ＰＯＷＣ≦３．８０Ｄを満たすと、焦点ぼけ程度を適切に小幅に高くし、近視の予防又は抑制効果を向上させることに寄与する。
【００１４】
ＰＣＰ１−ＰＯＷＣが条件式４．００Ｄ≦ＰＣＰ１−ＰＯＷＣ≦２０．００Ｄを満たすと、焦点ぼけ程度を適切且つ段階的な幅度で高くし、近視の予防又は抑制効果を向上させることに寄与する。
【００１５】
ＰＣＰ１−ＰＯＷＣが−５．００Ｄ≦ＰＣＰ１−ＰＯＷＣ＜０Ｄの条件を満たすと、焦点ぼけ程度を適切且つ小幅に調整し、近視の予防又は抑制効果を向上させることに寄与する。
【図面の簡単な説明】
【００１６】
【図１】本発明の第１の実施形態に係るコンタクトレンズを示す区画模式図である。
【図２Ａ】本発明の第２の実施形態に係るコンタクトレンズを示す区画模式図である。
【図２Ｂ】図２Ａに示すコンタクトレンズを示す側面図である。
【図２Ｃ】図２Ａに示すコンタクトレンズを示す上面図である。
【図３Ａ】本発明の第３の実施形態によるコンタクトレンズを示す区画模式図である。
【図３Ｂ】図３Ａに示すコンタクトレンズを示す側面図である。
【図３Ｃ】図３Ａに示すコンタクトレンズを示す上面図である。
【図４】本発明の第４の実施形態に係るコンタクトレンズの光遮断リングを示す配置模式図である。
【図５】本発明の第５の実施形態に係るコンタクトレンズの光遮断リングを示す配置模式図である。
【図６】本発明の第６の実施形態に係るコンタクトレンズの光遮断リングを示す配置模式図である。
【図７】本発明の第７の実施形態に係るコンタクトレンズの光遮断リングを示す配置模式図である。
【図８】本発明の第８の実施形態に係るコンタクトレンズの光遮断リングを示す配置模式図である。
【図９】本発明の第９の実施形態に係るコンタクトレンズの光遮断リングを示す配置模式図である。
【図１０】本発明の第１０の実施形態に係るコンタクトレンズの光遮断リングを示す配置模式図である。
【図１１】本発明の第１１の実施形態に係るコンタクトレンズの光遮断リングを示す配置模式図である。
【図１２】第１の実施例のコンタクトレンズの半径と光屈折率との関係図である。
【図１３】第２の実施例のコンタクトレンズの半径と光屈折率との関係図である。
【図１４】第５の実施例のコンタクトレンズの半径と光屈折率との関係図である。
【図１５】第６の実施例のコンタクトレンズの半径と光屈折率との関係図である。
【図１６】第７の実施例のコンタクトレンズの半径と光屈折率との関係図である。
【図１７】第９の実施例のコンタクトレンズの半径と光屈折率との関係図である。
【図１８】第１０の実施例のコンタクトレンズの半径と光屈折率との関係図である。
【図１９】第１２の実施例のコンタクトレンズの半径と光屈折率との関係図である。
【図２０】第１６の実施例のコンタクトレンズの半径と光屈折率との関係図である。
【図２１】第２１の実施例のコンタクトレンズの半径と光屈折率との関係図である。
【図２２】第２６の実施例のコンタクトレンズの半径と光屈折率との関係図である。
【図２３】第２７の実施例のコンタクトレンズの半径と光屈折率との関係図である。
【図２４】第２８の実施例のコンタクトレンズの半径と光屈折率との関係図である。
【図２５】第２９の実施例のコンタクトレンズの半径と光屈折率との関係図である。
【図２６】第３０の実施例のコンタクトレンズの半径と光屈折率との関係図である。
【図２７】本発明の第１２の実施形態に係るコンタクトレンズ製品を示す模式図である。
【発明を実施するための形態】
【００１７】
＜第１の実施形態＞
図１は、本発明の第１の実施形態に係るコンタクトレンズ１００を示す区画模式図である。図１において、コンタクトレンズ１００は、中心領域１１０と、環状領域１２０と、周辺領域１３０と、を含む。中心領域１１０はコンタクトレンズ１００の中心点Ｏを含み、環状領域１２０は中心領域１１０を対称に取り囲み、周辺領域１３０は環状領域１２０を対称に取り囲み、環状領域１２０は少なくとも１つの臨界点値を含む。臨界点値を設けることで、段階的な大幅又は小幅な緩和効果を提供し、中心領域１１０から離れた箇所の光屈折率の向上幅を効果的に緩和し、着用の快適性を向上させ、長周期治療の可能性を高くすることができる。
【００１８】
中心領域１１０の光屈折率はＰＯＷＣであり、−０．５０Ｄ≦ＰＯＷＣ≦０．５０Ｄの条件を満たしてよい。これにより、近視趨勢の潜在する患者に使用される場合、光線を網膜に良好に集光させ、はっきり且つ快適な画像を提供することができる。具体的には、中心領域１１０に低い度数又は度数なしの光屈折率を配置し、また環状領域１２０のような適切且つ緩やかな焦点ぼけ設計に合わせれば、光線を網膜前に集光させて、近視予防を達成させ眼軸の増長を避けることができる。
或は、−０．２５Ｄ≦ＰＯＷＣ≦０．２５Ｄの条件を満たしてよい。
【００１９】
中心領域１１０の光屈折率はＰＯＷＣであり、−８．００Ｄ≦ＰＯＷＣ＜０Ｄの条件を満たしてよい。これにより、中低度近視の患者に使用される場合、中心領域１１０の光屈折率により近視矯正機能を提供し、必要に応じて中心領域１１０の光屈折率を調整し、光線を網膜に良好に集光させ、はっきり且つ快適な画像を提供することができる。
或は、−７．００Ｄ≦ＰＯＷＣ≦−０．２５Ｄの条件を満たしてよい。
或は、−６．５０Ｄ≦ＰＯＷＣ＜０Ｄの条件を満たしてよい。
或は、−５．５０Ｄ≦ＰＯＷＣ＜０Ｄの条件を満たしてよい。
或は、−４．５０Ｄ≦ＰＯＷＣ＜０Ｄの条件を満たしてよい。
【００２０】
中心領域１１０の光屈折率はＰＯＷＣであり、環状領域１２０の最大光屈折率はＰＰｍａｘであり、２．００Ｄ≦｜ＰＰｍａｘ−ＰＯＷＣ｜≦２０．００Ｄの条件を満たす。これにより、環状領域１２０の設計により、光屈折率が向上し、環状領域１２０の光線が網膜前に集光し、焦点ぼけ効果によって近視の予防及び抑制の機能を達成させ、眼軸増長の問題を効果的に避ける。
或は、２．００Ｄ≦｜ＰＰｍａｘ−ＰＯＷＣ｜≦８．００Ｄの条件を満たしてよい。
或は、３．５０Ｄ≦｜ＰＰｍａｘ−ＰＯＷＣ｜≦１９．００Ｄの条件を満たしてよい。
或は、５．５０Ｄ≦｜ＰＰｍａｘ−ＰＯＷＣ｜≦１７．００Ｄの条件を満たしてよい。
或は、８．００Ｄ≦｜ＰＰｍａｘ−ＰＯＷＣ｜≦１５．００Ｄの条件を満たしてよい。
或は、９．５０Ｄ≦｜ＰＰｍａｘ−ＰＯＷＣ｜≦１５．５０Ｄの条件を満たしてよい。
【００２１】
環状領域１２０の最大光屈折率はＰＰｍａｘであり、０Ｄ≦ＰＰｍａｘ≦１５．００Ｄの条件を満たしてよい。これにより、着用者の要求に応じて中心領域１１０外の焦点ぼけ効果を適切に向上させることができる。
或は、０．５０Ｄ≦ＰＰｍａｘ≦１３．００Ｄの条件を満たしてよい。
或は、１．５０Ｄ≦ＰＰｍａｘ≦１２．５０Ｄの条件を満たしてよい。
或は、２．００Ｄ≦ＰＰｍａｘ≦１０．５Ｄの条件を満たしてよい。
或は、２．００Ｄ≦ＰＰｍａｘ≦９．００Ｄの条件を満たしてよい。
【００２２】
環状領域１２０は、ＰＰＨである少なくとも１つの高臨界点値を含んでよく、−５．００Ｄ≦ＰＰＨ≦２０．００Ｄの条件を満たしてよい。これにより、光屈折率向上の変化程度を緩和させることができる。
或は、−５．００Ｄ≦ＰＰＨ≦１８．００Ｄの条件を満たしてよい。
或は、−３．００Ｄ≦ＰＰＨ≦１６．００Ｄの条件を満たしてよい。
或は、−１．００Ｄ≦ＰＰＨ≦１６．００Ｄの条件を満たしてよい。
或は、−１．００Ｄ≦ＰＰＨ≦１４．００Ｄの条件を満たしてよい。
【００２３】
環状領域１２０は、ＰＰＭである少なくとも１つの中臨界点値を含んでよく、−６．００Ｄ≦ＰＰＭ≦０Ｄの条件を満たしてよい。これにより、網膜の周辺に一部のはっきりした焦点合わせ領域を提供し、着用コンタクトレンズ１００の不快感を緩めることができる。或は、−３．００Ｄ≦ＰＰＭ≦０Ｄの条件を満たしてよい。
【００２４】
環状領域１２０は、ＰＰＬである少なくとも１つの低臨界点値を含んでよく、−１０．００Ｄ≦ＰＰＬ≦０Ｄの条件を満たしてよい。これにより、光屈折率向上の設計の自由度を高くすることができ、光屈折率の変化に対する緩和効果を有する。
或は、−９．００Ｄ≦ＰＰＬ≦０Ｄの条件を満たしてよい。
或は、−４．００Ｄ≦ＰＰＬ≦０Ｄの条件を満たしてよい。
【００２５】
環状領域１２０は、ＰＰＨである少なくとも１つの高臨界点値を含んでよく、環状領域１２０の最大光屈折率はＰＰｍａｘであり、−５．００≦｜ＰＰｍａｘ／ＰＰＨ｜≦６０．００の条件を満たしてよい。これにより、着用者の状況に応じて中心領域１１０外の好適な焦点ぼけ程度を設けることができる。また、高臨界点値を設けることは、焦点ぼけ程度を区分的に向上させ、周辺の高焦点ぼけ設計の不快感を緩めることに寄与する。
或は、−５．００≦｜ＰＰｍａｘ／ＰＰＨ｜≦３０．００の条件を満たしてよい。
或は、−５．００≦｜ＰＰｍａｘ／ＰＰＨ｜≦２０．００の条件を満たしてよい。
或は、−３．００≦｜ＰＰｍａｘ／ＰＰＨ｜≦２０．００の条件を満たしてよい。
或は、−５．００≦｜ＰＰｍａｘ／ＰＰＨ｜≦１５．００の条件を満たしてよい。
或は、−３．００≦｜ＰＰｍａｘ／ＰＰＨ｜≦１８．００の条件を満たしてよい。
或は、−３．００≦｜ＰＰｍａｘ／ＰＰＨ｜≦１５．００の条件を満たしてよい。
或は、−３．００≦｜ＰＰｍａｘ／ＰＰＨ｜≦１０．００の条件を満たしてよい。
或は、−３．００≦｜ＰＰｍａｘ／ＰＰＨ｜≦９．００の条件を満たしてよい。
或は、−３．００≦｜ＰＰｍａｘ／ＰＰＨ｜≦５．００の条件を満たしてよい。
【００２６】
環状領域１２０は、ＰＰＬである少なくとも１つの低臨界点値を含んでよく、環状領域１２０の最大光屈折率はＰＰｍａｘであり、−４０．００≦｜ＰＰｍａｘ／ＰＰＬ｜≦０の条件を満たしてよい。これにより、着用者の状況に応じて中心領域１１０外の好適な焦点ぼけ程度を設けることができ、低臨界点値を設けることは、焦点ぼけ程度を漸進的に緩和し、高焦点ぼけ設計の困難度を低下させることに寄与する。
或は、−３０．００≦｜ＰＰｍａｘ／ＰＰＬ｜≦０の条件を満たしてよい。
或は、−２５．００≦｜ＰＰｍａｘ／ＰＰＬ｜≦０の条件を満たしてよい。
或は、−２０．００≦｜ＰＰｍａｘ／ＰＰＬ｜≦０の条件を満たしてよい。
或は、−１５．００≦｜ＰＰｍａｘ／ＰＰＬ｜≦０の条件を満たしてよい。
或は、−１０．００≦｜ＰＰｍａｘ／ＰＰＬ｜≦０の条件を満たしてよい。
【００２７】
中心領域１１０の最大直径はＤｉＣであり、１．０ｍｍ≦ＤｉＣ≦４．５ｍｍの条件を満たしてよい。これにより、着用者の状況に応じてはっきりした中央視野範囲を提供することができ、着用時の不快感を低減することに寄与する。
或は、１．４ｍｍ≦ＤｉＣ≦４．５ｍｍの条件を満たしてよい。
或は、１．４ｍｍ≦ＤｉＣ≦３．５ｍｍの条件を満たしてよい。
或は、２．０ｍｍ≦ＤｉＣ≦３．０ｍｍの条件を満たしてよい。
【００２８】
環状領域１２０の最大直径はＤｉＰであり、ＤｉＰ≦８．０ｍｍの条件を満たしてよい。これにより、適切な環状領域１２０の範囲を提供して、近視の抑制や予防を達成させることができる。
【００２９】
環状領域１２０は少なくとも１つの臨界点値を含んでよく、中心点に最も近づく臨界点値は第１の臨界点値であり、且つ第１の臨界点値は低臨界点値であってよい。これにより、光屈折率を適度に低下し、光屈折率の変化を緩和し、焦点ぼけによる着用者の不快感を低減することができる。
【００３０】
環状領域１２０は、内から外へ、第１の臨界点値と、第２の臨界点値との少なくとも２つの臨界点値を含んでよく、第１の臨界点値は高臨界点値であってよい。これにより、環状領域１２０の内側で光屈折率をすぐに高くすることができ、近視の予防又は抑制の強度の向上に寄与する。
【００３１】
第１の臨界点値は高臨界点値であってよく、且つ第２の臨界点値は低臨界点値であってよい。第１の臨界点が高臨界点である場合、環状領域１２０の内側で光屈折率をすぐに高くすることができ、近視の予防又は抑制の強度の向上に寄与し、更に第２の臨界点が低臨界点であることに合わせて、光屈折率を適度に低下し、光屈折率の変化を緩和し、焦点ぼけによる着用者の不快感を低減することができる。
【００３２】
第２の臨界点値は高臨界点値であってよい。これにより、焦点ぼけ程度の向上に寄与し、短周期で近視の予防又は抑制効果を取得する。
【００３３】
第２の臨界点値は、中臨界点値であってよい。これにより、焦点ぼけ程度の緩和に寄与し、環状領域１２０部分にはっきりした焦点合わせ効果を持たせて、着用者の視覚快適性を増える。
【００３４】
第２の臨界点値は低臨界点値であってよい。これにより、焦点ぼけ程度の緩和に寄与し、着用時の不快感を低減する。
【００３５】
中心領域１１０の光屈折率はＰＯＷＣであり、第１の臨界点値はＰＣＰ１であり、０Ｄ＜ＰＣＰ１−ＰＯＷＣ≦３．８０Ｄの条件を満たしてよい。これにより、第１の臨界点と中心との好適な光屈折率差分値を設計することで、焦点ぼけ程度を適切に小幅に高くし、近視の予防又は抑制効果を向上させることに寄与する。
或は、０Ｄ＜ＰＣＰ１−ＰＯＷＣ≦３．５Ｄの条件を満たしてよい。
【００３６】
中心領域１１０の光屈折率はＰＯＷＣであり、第１の臨界点値はＰＣＰ１であり、４．００Ｄ≦ＰＣＰ１−ＰＯＷＣ≦２０．００Ｄの条件を満たしてよい。これにより、第１の臨界点と中心領域１１０との好適な光屈折率差分値を設計することは、焦点ぼけ程度を適切且つ段階的なの幅度で高くし、近視の予防又は抑制効果を向上させることに寄与する。
或は、４．５Ｄ≦ＰＣＰ１−ＰＯＷＣ≦１８Ｄの条件を満たしてよい。
或は、４．５Ｄ≦ＰＣＰ１−ＰＯＷＣ≦１０Ｄの条件を満たしてよい。
【００３７】
中心領域１１０の光屈折率はＰＯＷＣであり、第１の臨界点値はＰＣＰ１であり、−６．００Ｄ≦ＰＣＰ１−ＰＯＷＣ≦１０Ｄの条件を満たしてよい。これにより、第１の臨界点と中心領域１１０との好適な光屈折率差分値を設計することは、焦点ぼけ程度を適切且つ小幅に調整し、近視の予防又は抑制効果を向上させることに寄与する。
或は、−６．００Ｄ≦ＰＣＰ１−ＰＯＷＣ＜０Ｄの条件を満たしてよい。
或は、−５．００Ｄ≦ＰＣＰ１−ＰＯＷＣ＜０Ｄの条件を満たしてよい。
或は、−４．００Ｄ≦ＰＣＰ１−ＰＯＷＣ＜０Ｄの条件を満たしてよい。
【００３８】
第１の臨界点値はＰＣＰ１であり、第２の臨界点値はＰＣＰ２であり、−１４．００Ｄ≦ＰＣＰ２−ＰＣＰ１≦１６Ｄの条件を満たしてよい。これにより、焦点ぼけ設計による不快感を避けることができる。
【００３９】
第１の臨界点値はＰＣＰ１であり、第２の臨界点値はＰＣＰ２であり、−７．００Ｄ≦ＰＣＰ２−ＰＣＰ１≦０Ｄの条件を満たしてよい。これにより、第２の臨界点と第１の臨界点との好適な光屈折率差分値を設計することで、光屈折率を小幅に低減し、焦点ぼけ設計による不快感を減緩し避けることができる。
或は、−６．００Ｄ≦ＰＣＰ２−ＰＣＰ１≦０Ｄの条件を満たしてよい。
或は、−５．００Ｄ≦ＰＣＰ２−ＰＣＰ１≦０Ｄの条件を満たしてよい。
【００４０】
第１の臨界点値はＰＣＰ１であり、第２の臨界点値はＰＣＰ２であり、−１４．００Ｄ≦ＰＣＰ２−ＰＣＰ１≦−７．５０Ｄの条件を満たしてよい。これにより、第２の臨界点と第１の臨界点との好適な光屈折率差分値を設計することで、光屈折率を大幅に低下させ、焦点ぼけ設計による不快感を快速に改善することができる。
或は、−１２．００Ｄ≦ＰＣＰ２−ＰＣＰ１≦−７．５０Ｄの条件を満たしてよい。
或は、−１０．００Ｄ≦ＰＣＰ２−ＰＣＰ１≦−７．５０Ｄの条件を満たしてよい。
【００４１】
中心領域１１０の光屈折率はＰＯＷＣであり、第１の臨界点値はＰＣＰ１であり、第２の臨界点値はＰＣＰ２であり、−２５≦（ＰＣＰ２−ＰＣＰ１）／（ＰＣＰ１−ＰＯＷＣ）≦０の条件を満たしてよい。これにより、不快感を低減し、また近視の予防又は抑制の成功率を向上させることができる。
【００４２】
中心領域１１０の光屈折率はＰＯＷＣであり、第１の臨界点値はＰＣＰ１であり、第２の臨界点値はＰＣＰ２であり、−１．７５≦（ＰＣＰ２−ＰＣＰ１）／（ＰＣＰ１−ＰＯＷＣ）≦０の条件を満たしてよい。これにより、好適な光屈折率差分値の比率を設計することで、小幅な光屈折率変化で緩やかな焦点ぼけ設計を達成させ、着用者の長周期着用と漸進適応に寄与し、近視の予防又は抑制の成功率を向上させる。
或は、−１．６≦（ＰＣＰ２−ＰＣＰ１）／（ＰＣＰ１−ＰＯＷＣ）≦０の条件を満たしてよい。
【００４３】
中心領域１１０の光屈折率はＰＯＷＣであり、第１の臨界点値はＰＣＰ１であり、第２の臨界点値はＰＣＰ２であり、−２５≦（ＰＣＰ２−ＰＣＰ１）／（ＰＣＰ１−ＰＯＷＣ）≦−１．９の条件を満たしてよい。これにより、好適な光屈折率差分値の比率を設計することで、大幅の光屈折率変化で大程度の焦点ぼけ設計を達成させ、着用者が短周期で近視の予防又は抑制効果を取得することに寄与する。
或は、−１５≦（ＰＣＰ２−ＰＣＰ１）／（ＰＣＰ１−ＰＯＷＣ）≦−２の条件を満たしてよい。
【００４４】
環状領域１２０は、内から外へ、第１の臨界点値と、ＰＣＰ２である第２の臨界点値と、ＰＣＰ３である第３の臨界点値との少なくとも３つの臨界点値を含んでよく、−２０．００Ｄ≦ＰＣＰ３−ＰＣＰ２≦２０．００Ｄの条件を満たしてよい。これにより、不快感を低減し、また近視の予防又は抑制効果を向上させることができる。
【００４５】
第２の臨界点値はＰＣＰ２であり、第３の臨界点値はＰＣＰ３であり、０Ｄ≦ＰＣＰ３−ＰＣＰ２≦１２．００Ｄの条件を満たしてよい。これにより、第３の臨界点と第２の臨界点との好適な光屈折率差分値を設計することで、光屈折率の向上を小幅に緩和し、患者の近視の予防又は抑制コースでの適応力を向上させることができる。
【００４６】
第２の臨界点値はＰＣＰ２であり、第３の臨界点値はＰＣＰ３であり、１４．００Ｄ≦ＰＣＰ３−ＰＣＰ２≦２０．００Ｄの条件を満たしてよい。これにより、第３の臨界点と第２の臨界点との好適な光屈折率差分値を設計することで、光屈折率を大幅に向上させ、近視の予防又は抑制効果を高く向上させることができる。
【００４７】
第３の臨界点値は高臨界点値であってよい。これにより、焦点ぼけ程度の向上に寄与し、短周期で近視の予防又は抑制効果を取得する。
【００４８】
第３の臨界点値は、中臨界点値であってよい。これにより、焦点ぼけ程度の緩和に寄与し、環状領域１２０部分にはっきりした焦点合わせ効果を持たせて、着用者の視覚快適性が増える。
【００４９】
第３の臨界点値は低臨界点値であってよい。これにより、焦点ぼけ程度の緩和に寄与し、着用時の不快感を低減する。
【００５０】
環状領域１２０は、内から外へ、第１の臨界点値と、第２の臨界点値と、ＰＣＰ３である第３の臨界点値と、ＰＣＰ４である第４の臨界点値との少なくとも４つの臨界点値を含んでよく、−１５．００Ｄ≦ＰＣＰ４−ＰＣＰ３≦１２．００Ｄの条件を満たしてよい。これにより、光屈折率を大幅に向上させ、近視の予防又は抑制効果を高く向上させることができる。
【００５１】
第４の臨界点値は高臨界点値であってよい。これにより、焦点ぼけ程度の向上に寄与し、短周期で近視の予防又は抑制効果を取得する。
【００５２】
第４の臨界点値は低臨界点値であってよい。これにより、焦点ぼけ程度の緩和に寄与し、着用時の不快感を低減する。
【００５３】
環状領域１２０は、内から外へ、第１の臨界点値と、第２の臨界点値と、第３の臨界点値と、ＰＣＰ４である第４の臨界点値と、ＰＣＰ５である第５の臨界点値との少なくとも５つの臨界点値を含んでよく、−５．００Ｄ≦ＰＣＰ５−ＰＣＰ４≦５．００Ｄの条件を満たしてよい。これにより、光屈折率の向上を小幅に緩和し、患者の近視の予防又は抑制コースでの適応力を向上させることができる。
【００５４】
第５の臨界点値は高臨界点値であってよい。これにより、焦点ぼけ程度の向上に寄与し、短周期で近視の予防又は抑制効果を取得する。
【００５５】
第５の臨界点値は低臨界点値であってよい。これにより、焦点ぼけ程度の緩和に寄与し、着用時の不快感を低減する。
【００５６】
環状領域１２０は、内から外へ、第１の臨界点値と、第２の臨界点値と、第３の臨界点値と、第４の臨界点値と、ＰＣＰ５である第５の臨界点値と、ＰＣＰ６である第６の臨界点値との少なくとも６つの臨界点値を含んでよく、−５．００Ｄ≦ＰＣＰ６−ＰＣＰ５≦１５．００Ｄの条件を満たしてよい。これにより、光屈折率を大幅に向上させ、近視の予防又は抑制効果を高く向上させることができる。
【００５７】
第６の臨界点値は高臨界点値であってよい。これにより、焦点ぼけ程度の向上に寄与し、短周期で近視の予防又は抑制効果を取得する。
【００５８】
第６の臨界点値は低臨界点値であってよい。これにより、焦点ぼけ程度の緩和に寄与し、着用時の不快感を低減する。
【００５９】
前記臨界点値、高臨界点値、低臨界点値及び中臨界点値は、下記のように定義される。コンタクトレンズ１００の環状領域１２０は、少なくとも１つの臨界点（図示せず）を含んでよく、臨界点の光屈折率が臨界点値と呼ばれ、臨界点値と中心領域１１０光屈折率との関係によって、臨界点を高臨界点（ＣＨ）、低臨界点（ＣＬ）及び中臨界点（ＣＭ）に分ける。臨界点値が中心領域１１０の光屈折率より高い臨界点が高臨界点と呼ばれ、その臨界点値が高臨界点値と呼ばれる。臨界点値が中心領域１１０の光屈折率より低い臨界点が低臨界点と呼ばれ、その臨界点値が低臨界点値と呼ばれる。臨界点値が中心領域１１０の光屈折率に等しい臨界点が中臨界点と呼ばれ、その臨界点値が中臨界点値と呼ばれる。
【００６０】
＜第２の実施形態＞
図２Ａは、本発明の第２の実施形態に係るコンタクトレンズ２００を示す区画模式図である。図２Ｂは、図２Ａに示すコンタクトレンズ２００を示す側面図である。図２Ｃは、図２Ａに示すコンタクトレンズ２００を示す上面図である。
図２Ａ〜図２Ｃにおいて、コンタクトレンズ２００は、中心領域２１０と、環状領域２２０と、周辺領域２３０と、を含む。中心領域２１０はコンタクトレンズ２００の中心点Ｏを含み、環状領域２２０は中心領域２１０を対称に取り囲み、周辺領域２３０は環状領域２２０を対称に取り囲み、環状領域２２０は少なくとも１つの臨界点値を含む。周辺領域２３０は少なくとも１つのカラーパターン部を含んでよい。
【００６１】
具体的には、第２の実施形態において、周辺領域２３０は、パターンが環状である第１のカラーパターン部２４０Ａと、パターンが放射状である第２のカラーパターン部２４０Ｂとの２つのカラーパターン部を含む。第１のカラーパターン部２４０Ａの色は赤、橙、黄、緑、青、紺、紫、黒、白、銀又は金色から選ばれてよく、第２のカラーパターン部２４０Ｂの色は第１のカラーパターン部２４０Ａの色と異なる。これにより、異なる色は異なる可視光透過効果を有し、適切な色を選択すると、光線の透過能力を効果的に抑制することができ（光束を向上又は低減する）、濃い色のカラーパターン部は羞明効果を低減することができ、明るい色のカラーパターン部は光束を向上させることができ、且つカラーパターン部の光透過率が低く、高度な光遮断機能を有し、グレアや迷光の視力制御効果に対する妨害を低減する。少なくとも第１のカラーパターン部２４０Ａと第２のカラーパターン部２４０Ｂとの２つのカラーパターン部を設けることで、迷光効果を選択的に組み合わせて低減することができる。
【００６２】
他の実施形態において、カラーパターン部の最小内半径は、環状領域の一部を含んでもよく、環状領域周辺の迷光を遮断し、焦点ぼけ箇所の成像に対する妨害を避けることに寄与する効果を持たせ、着用者の不快感を低減する。
【００６３】
コンタクトレンズ２００の他の細部については、図１に示すコンタクトレンズ１００と同じであるので、ここで詳細的に説明しない。
【００６４】
＜第３の実施形態＞
図３Ａは、本発明の第３の実施形態によるコンタクトレンズ３００を示す区画模式図である。図３Ｂは、図３Ａに示すコンタクトレンズ３００を示す側面図である。図３Ｃは、図３Ａに示すコンタクトレンズ３００を示す上面図である。
図３Ａ〜図３Ｃにおいて、コンタクトレンズ３００は、中心領域３１０と、環状領域３２０と、周辺領域３３０と、を含む。中心領域３１０はコンタクトレンズ３００の中心点Ｏを含み、環状領域３２０は中心領域３１０を対称に取り囲み、周辺領域３３０は環状領域３２０を対称に取り囲み、環状領域３２０は少なくとも１つの臨界点値を含む。周辺領域３３０は少なくとも１つのカラーパターン部を含んでよい。
【００６５】
具体的には、第３の実施形態において、周辺領域３３０は、パターンが環状である第１のカラーパターン部３４０Ａと、パターンが複数のＬである第２のカラーパターン部３４０Ｂとの２つのカラーパターン部を含み、第２のカラーパターン部３４０Ｂによって方向を識別可能なパターンを配置することで、コンタクトレンズ３００の正反面識別機能を達成させることに寄与し、着用時の正確性を向上させ、着用の便利性と効率を高くすることができる。第１のカラーパターン部３４０Ａの色は赤、橙、黄、緑、青、紺、紫、黒、白、銀又は金色から選ばれてよく、第２のカラーパターン部３４０Ｂの色は第１のカラーパターン部３４０Ａの色と異なる。これにより、異なる色は異なる可視光透過効果を有し、適切な色を選択すると、光線の透過能力を効果的に制御することができ（光束を向上又は低減する）、濃い色のカラーパターン部は羞明効果を低減することができ、明るい色のカラーパターン部は光束を向上させることができ、且つカラーパターン部の光透過率が低く、高度な光遮断機能を有し、グレアや迷光の視力制御効果に対する妨害を低減する。少なくとも第１のカラーパターン部３４０Ａと第２のカラーパターン部３４０Ｂとの２つのカラーパターン部を設けることで、迷光効果を選択的に組み合わせて低減することができる。
【００６６】
他の実施形態において、カラーパターン部の最小内半径は、環状領域の一部を含んでもよく、環状領域周辺の迷光を遮断し、焦点ぼけ箇所の成像に対する妨害を避けることに寄与する効果を持たせ、着用者の不快感を低減する。
【００６７】
コンタクトレンズ３００の他の細部については、図１に示すコンタクトレンズ１００と同じであってよいので、ここで詳細的に説明しない。
【００６８】
＜第４の実施形態＞
図４は、本発明の第４の実施形態に係るコンタクトレンズ４００の光遮断リング４５０を示す配置模式図である。図４において、コンタクトレンズ４００は、中心領域（別に番号をつけず）と、環状領域（別に番号をつけず）と、周辺領域（別に番号をつけず）と、を含む。中心領域は、コンタクトレンズ４００の中心点Ｏを含み、環状領域は中心領域を対称に取り囲み、周辺領域は環状領域を対称に取り囲み、環状領域は少なくとも１つの臨界点値を含む。コンタクトレンズ４００の中心領域外に少なくとも１つの光遮断リング４５０を含んでよい。好ましくは、光遮断リング４５０が環状領域に設けられ、これにより、焦点ぼけ領域の迷光を効果的に除去し、近視抑制の治療効果を向上させることができる。
或は、周辺領域は、少なくとも１つの光遮断リング４５０（環状領域から周辺領域まで延在し、つまり、周辺領域が光遮断リング４５０の一部しか含まない）を含んでよい。これにより、多すぎる光線が目に入って羞明にならないようにすることができ、画像の明るさを確保するように、十分な光束を維持することができる。
【００６９】
第４の実施形態において、光遮断リング４５０は均一に分布するように設けられ、これにより、迷光の妨害を効果的に低減させることができ、また着用者の瞳孔の大きさによって設計を最適化することができ、多すぎる光線が目に入って羞明になる問題を避け、画像の明るさを確保するように、十分な光束を維持することができる。前記均一に分布することとは、規則正しく、間断的に又は全体が充填されるような設計である。しかしながら、本発明はこれに制限されない。
【００７０】
第４の実施形態において、光遮断リング４５０は詰まって充填されるが、他の形態において、光遮断リングは間断的に充填されてもよく（図１０参照）又は点状に分布してもよい（図１１参照）。これにより、多すぎる光線が目に入って羞明にならないようにすることができ、画像の明るさを確保するように、十分な光束を維持することができる。
【００７１】
光遮断リング４５０の色は赤、橙、黄、緑、青、紺、紫、黒、白、銀又は金色から選ばれてよい。これにより、適切な色を選択することで、光束を向上又は低減することができ、濃い色の光遮断リング４５０で羞明効果を低下させ、明るい色の光遮断リングで視野の明るさを向上させることができる。
【００７２】
第４の実施形態において、光遮断リング４５０の最小内径はＤＢｉであり、ＤＢｉ＝７．０４ｍｍの条件を満たしてよい。他の実施形態において、光遮断リングの最小内径はＤＢｉであり、３．５ｍｍ≦ＤＢｉ≦１１．０ｍｍの条件を満たしてよい。これにより、多すぎる光線が目に入って羞明になる問題を避け、画像の明るさを確保するように、十分な光束を維持することができる。
或は、３．５ｍｍ≦ＤＢｉ≦１０ｍｍの条件を満たしてよい。
或は、４．５ｍｍ≦ＤＢｉ≦１０ｍｍの条件を満たしてよい。
或は、４．５ｍｍ≦ＤＢｉ≦９ｍｍの条件を満たしてよい。
或は、４．５ｍｍ≦ＤＢｉ≦８．５ｍｍの条件を満たしてよい。
【００７３】
第４の実施形態において、光遮断リング４５０の最大外径はＤＢｏであり、ＤＢｏ＝９．１ｍｍの条件を満たしてよい。他の実施形態において、光遮断リングの最大外径はＤＢｏであり、６ｍｍ≦ＤＢｏ≦１４ｍｍの条件を満たしてよい。これにより、多すぎる光線が目に入って羞明になる問題を避け、画像の明るさを確保するように、十分な光束を維持することができる。
或は、６ｍｍ≦ＤＢｏ≦１３ｍｍの条件を満たしてよい。
或は、６．５ｍｍ≦ＤＢｏ≦１２．５ｍｍの条件を満たしてよい。
或は、６．０ｍｍ≦ＤＢｏ≦１１．０ｍｍの条件を満たしてよい。
或は、７．５ｍｍ≦ＤＢｏ≦１２．５ｍｍの条件を満たしてよい。
或は、８．５ｍｍ≦ＤＢｏ≦１１．５ｍｍの条件を満たしてよい。
【００７４】
第４の実施形態において、コンタクトレンズ４００の最大外径はＤｏであり、Ｄｏ=１４ｍｍの条件を満たしてよい。他の実施形態において、コンタクトレンズの最大外径はＤｏであり、１３ｍｍ≦Ｄｏ≦１５ｍｍの条件を満たしてよい。これにより、必要に応じてコンタクトレンズの最も適切な大きさを作る。
【００７５】
第４の実施形態において、コンタクトレンズ４００の周辺領域は、更に、少なくとも１つのカラーパターン部（図示せず）を含んでよく、カラーパターン部の細部については、図２Ａ〜図２Ｃのコンタクトレンズ２００又は図３Ａ〜図３Ｃのコンタクトレンズ３００と同じであってよいので、ここで詳細的に説明しない。コンタクトレンズ４００の他の細部については、図１に示すコンタクトレンズ１００と同じであってよいので、ここで詳細的に説明しない。
【００７６】
＜第５の実施形態＞
図５は、本発明の第５の実施形態に係るコンタクトレンズ５００の光遮断リング５５０を示す配置模式図である。図５において、コンタクトレンズ５００は、中心領域と（別に番号をつけず）、環状領域（別に番号をつけず）と、周辺領域（別に番号をつけず）と、を含む。中心領域は、コンタクトレンズ５００の中心点Ｏを含み、環状領域は中心領域を対称に取り囲み、周辺領域は環状領域を対称に取り囲み、環状領域は少なくとも１つの臨界点値を含む。コンタクトレンズ５００の中心領域外は、少なくとも１つの光遮断リング５５０を含んでよい。好ましくは、光遮断リング５５０が環状領域に設けられる。或は、周辺領域は、少なくとも１つの光遮断リング５５０を含んでよい（環状領域から周辺領域まで延在し、つまり周辺領域が光遮断リング５５０の一部しか含まない）。
【００７７】
第５の実施形態において、光遮断リング５５０は均一に分布するように設けられ、且つ詰まって充填され、光遮断リング５５０の色は赤、橙、黄、緑、青、紺、紫、黒、白、銀又は金色から選ばれてよい。
【００７８】
第５の実施形態において、光遮断リング５５０の最小内径はＤＢｉであり（図４参照）、光遮断リング５５０の最大外径はＤＢｏであり（図４参照）、コンタクトレンズ５００の最大外径はＤｏである。ＤＢｉ＝４．０２ｍｍ、ＤＢｏ＝７．１８ｍｍ、及びＤｏ＝１４ｍｍの条件を満たしてよい。
【００７９】
第５の実施形態において、コンタクトレンズ５００の周辺領域は、更に、少なくとも１つのカラーパターン部（図示せず）を含んでよく、カラーパターン部の細部については、図２Ａ〜図２Ｃのコンタクトレンズ２００又は図３Ａ〜図３Ｃのコンタクトレンズ３００と同じであってよいので、ここで詳細的に説明しない。コンタクトレンズ５００の他の細部については、図１に示すコンタクトレンズ１００と同じであってよいので、ここで詳細的に説明しない。
【００８０】
＜第６の実施形態＞
図６は、本発明の第６の実施形態に係るコンタクトレンズ６００の光遮断リング６５０を示す配置模式図である。図６において、コンタクトレンズ６００は、中心領域（別に番号をつけず）と、環状領域（別に番号をつけず）と、周辺領域（別に番号をつけず）と、を含む。中心領域はコンタクトレンズ６００の中心点Ｏを含み、環状領域は中心領域を対称に取り囲み、周辺領域は環状領域を対称に取り囲み、環状領域は少なくとも１つの臨界点値を含む。コンタクトレンズ６００の中心領域外に少なくとも１つの光遮断リング６５０を含んでよい。好ましくは、光遮断リング６５０が環状領域に設けられる。
或は、周辺領域は、少なくとも１つの光遮断リング６５０を含んでよい（環状領域から周辺領域まで延在し、つまり周辺領域は光遮断リング６５０の一部しか含まない）。
【００８１】
第６の実施形態において、光遮断リング６５０は均一に分布するように設けられ、且つ詰まって充填され、光遮断リング６５０の色は赤、橙、黄、緑、青、紺、紫、黒、白、銀又は金色から選ばれてよい。
【００８２】
第６の実施形態において、光遮断リング６５０の最小内径はＤＢｉであり（図４参照）、光遮断リング６５０の最大外径はＤＢｏであり（図４参照）、コンタクトレンズ６００の最大外径はＤｏである。ＤＢｉ＝５．９５ｍｍ、ＤＢｏ＝１２．０７ｍｍ、及びＤｏ＝１４ｍｍの条件を満たしてよい。
【００８３】
第６の実施形態において、コンタクトレンズ６００の周辺領域は、更に、少なくとも１つのカラーパターン部（図示せず）を含んでよく、カラーパターン部の細部については、図２Ａ〜図２Ｃのコンタクトレンズ２００又は図３Ａ〜図３Ｃのコンタクトレンズ３００と同じであってよいので、ここで詳細的に説明しない。コンタクトレンズ６００の他の細部については、図１に示すコンタクトレンズ１００と同じであってよいので、ここで詳細的に説明しない。
【００８４】
＜第７の実施形態＞
図７は、本発明の第７の実施形態に係るコンタクトレンズ７００の光遮断リング７５０を示す配置模式図である。図７において、コンタクトレンズ７００は、中心領域（別に番号をつけず）と、環状領域（別に番号をつけず）と、周辺領域（別に番号をつけず）と、を含む。中心領域はコンタクトレンズ７００の中心点Ｏを含み、環状領域は中心領域を対称に取り囲み、周辺領域は環状領域を対称に取り囲み、環状領域は少なくとも１つの臨界点値を含む。コンタクトレンズ７００の中心領域外に少なくとも１つの光遮断リング７５０を含んでよい。好ましくは、光遮断リング７５０が環状領域に設けられる。
或は、周辺領域は、少なくとも１つの光遮断リング７５０を含んでよい（環状領域から周辺領域まで延在し、つまり周辺領域は光遮断リング７５０の一部しか含まない）。
【００８５】
第７の実施形態において、光遮断リング７５０は均一に分布するように設けられ、且つ詰まって充填され、光遮断リング７５０の色は赤、橙、黄、緑、青、紺、紫、黒、白、銀又は金色から選ばれてよい。
【００８６】
第７の実施形態において、光遮断リング７５０の最小内径はＤＢｉであり（図４参照）、光遮断リング７５０の最大外径はＤＢｏであり（図４参照）、コンタクトレンズ７００の最大外径はＤｏである。ＤＢｉ＝７．９１ｍｍ、ＤＢｏ＝１１．０２ｍｍ、及びＤｏ＝１４ｍｍの条件を満たしてよい。
【００８７】
第７の実施形態において、コンタクトレンズ７００の周辺領域は、更に、少なくとも１つのカラーパターン部（図示せず）を含んでよく、カラーパターン部の細部については、図２Ａ〜図２Ｃのコンタクトレンズ２００又は図３Ａ〜図３Ｃのコンタクトレンズ３００と同じであってよいので、ここで詳細的に説明しない。コンタクトレンズ７００の他の細部については、図１に示すコンタクトレンズ１００と同じであってよいので、ここで詳細的に説明しない。
【００８８】
＜第８の実施形態＞
図８は、本発明の第８の実施形態に係るコンタクトレンズ８００の光遮断リング８５０を示す配置模式図である。図８において、コンタクトレンズ８００は、中心領域（別に番号をつけず）と、環状領域（別に番号をつけず）と、周辺領域（別に番号をつけず）と、を含む。中心領域はコンタクトレンズ８００の中心点Ｏを含み、環状領域は中心領域を対称に取り囲み、周辺領域は環状領域を対称に取り囲み、環状領域は少なくとも１つの臨界点値を含む。コンタクトレンズ８００の中心領域外に少なくとも１つの光遮断リング８５０を含んでよい。好ましくは、光遮断リング８５０が環状領域に設けられる。
或は、周辺領域は少なくとも１つの光遮断リング８５０を含んでよい（環状領域から周辺領域まで延在し、つまり周辺領域は光遮断リング８５０の一部しか含まない）。
【００８９】
第８の実施形態において、光遮断リング８５０は均一に分布するように設けられ、且つ詰まって充填され、光遮断リング８５０の色は赤、橙、黄、緑、青、紺、紫、黒、白、銀又は金色から選ばれてよい。
【００９０】
第８の実施形態において、光遮断リング８５０の最小内径はＤＢｉであり（図４参照）、光遮断リング８５０の最大外径はＤＢｏであり（図４参照）、コンタクトレンズ８００の最大外径はＤｏである。ＤＢｉ＝５．０３ｍｍ、ＤＢｏ＝８．１ｍｍ、及びＤｏ＝１４ｍｍの条件を満たしてよい。
【００９１】
第８の実施形態において、コンタクトレンズ８００の周辺領域は、更に、少なくとも１つのカラーパターン部（図示せず）を含んでよく、カラーパターン部の細部については、図２Ａ〜図２Ｃのコンタクトレンズ２００又は図３Ａ〜図３Ｃのコンタクトレンズ３００と同じであってよいので、ここで詳細的に説明しない。コンタクトレンズ８００の他の細部については、図１に示すコンタクトレンズ１００と同じであってよいので、ここで詳細的に説明しない。
【００９２】
＜第９の実施形態＞
図９は、本発明の第９の実施形態に係るコンタクトレンズ９００の光遮断リング９５０を示す配置模式図である。図９において、コンタクトレンズ９００は、中心領域（別に番号をつけず）と、環状領域（別に番号をつけず）と、周辺領域（別に番号をつけず）と、を含む。中心領域はコンタクトレンズ９００の中心点Ｏを含み、環状領域は中心領域を対称に取り囲み、周辺領域は環状領域を対称に取り囲み、環状領域は少なくとも１つの臨界点値を含む。コンタクトレンズ９００の中心領域外に少なくとも１つの光遮断リング９５０を含んでよい。好ましくは、光遮断リング９５０が環状領域に設けられる。
或は、周辺領域は、少なくとも１つの光遮断リング９５０を含んでよい（環状領域から周辺領域まで延在し、つまり周辺領域は光遮断リング９５０の一部しか含まない）。
【００９３】
第９の実施形態において、光遮断リング９５０は均一に分布するように設けられ、且つ詰まって充填され、光遮断リング９５０の色は赤、橙、黄、緑、青、紺、紫、黒、白、銀又は金色から選ばれてよい。
【００９４】
第９の実施形態において、光遮断リング９５０の最小内径はＤＢｉであり（図４参照）、光遮断リング９５０の最大外径はＤＢｏであり（図４参照）、コンタクトレンズ９００の最大外径はＤｏである。ＤＢｉ＝７．５８ｍｍ、ＤＢｏ＝１０．１５ｍｍ、及びＤｏ＝１４ｍｍの条件を満たしてよい。
【００９５】
第９の実施形態において、コンタクトレンズ９００の周辺領域は、更に、少なくとも１つのカラーパターン部（図示せず）を含んでよく、カラーパターン部の細部については、図２Ａ〜図２Ｃのコンタクトレンズ２００又は図３Ａ〜図３Ｃのコンタクトレンズ３００と同じであってよいので、ここで詳細的に説明しない。コンタクトレンズ９００の他の細部については、図１に示すコンタクトレンズ１００と同じであってよいので、ここで詳細的に説明しない。
【００９６】
＜第１０の実施形態＞
図１０は、本発明の第１０の実施形態に係るコンタクトレンズ１０００の光遮断リング１０５０を示す配置模式図である。図１０において、コンタクトレンズ１０００は、中心領域（別に番号をつけず）と、環状領域（別に番号をつけず）と、周辺領域（別に番号をつけず）と、を含む。中心領域はコンタクトレンズ１０００の中心点Ｏを含み、環状領域は中心領域を対称に取り囲み、周辺領域は環状領域を対称に取り囲み、環状領域は少なくとも１つの臨界点値を含む。コンタクトレンズ１０００の中心領域外に少なくとも１つの光遮断リング１０５０を含んでよい。好ましくは、光遮断リング１０５０が環状領域に設けられる。
或は、周辺領域は少なくとも１つの光遮断リング１０５０を含んでよい（環状領域から周辺領域まで延在し、つまり周辺領域は光遮断リング１０５０の一部しか含まない）。
【００９７】
第１０の実施形態において、光遮断リング１０５０は、均一に分布しかつ間断的に充填されるように設けられ、光遮断リング１０５０の色は赤、橙、黄、緑、青、紺、紫、黒、白、銀又は金色から選ばれてよい。
【００９８】
第１０の実施形態において、光遮断リング１０５０の最小内径はＤＢｉであり（図４参照）、光遮断リング１０５０の最大外径はＤＢｏであり（図４参照）、コンタクトレンズ１０００の最大外径はＤｏである。ＤＢｉ＝６．７９ｍｍ、ＤＢｏ＝９．１ｍｍ、及びＤｏ＝１４ｍｍの条件を満たしてよい。
【００９９】
第１０の実施形態において、コンタクトレンズ１０００の周辺領域は、更に、少なくとも１つのカラーパターン部（図示せず）を含んでよく、カラーパターン部の細部については、図２Ａ〜図２Ｃのコンタクトレンズ２００又は図３Ａ〜図３Ｃのコンタクトレンズ３００と同じであってよいので、ここで詳細的に説明しない。コンタクトレンズ１０００の他の細部については、図１に示すコンタクトレンズ１００と同じであってよいので、ここで詳細的に説明しない。
【０１００】
＜第１１の実施形態＞
図１１は、本発明の第１１の実施形態に係るコンタクトレンズ１１００の光遮断リング１１５０を示す配置模式図である。図１１において、コンタクトレンズ１１００は、中心領域（別に番号をつけず）と、環状領域（別に番号をつけず）と、周辺領域（別に番号をつけず）と、を含む。中心領域はコンタクトレンズ１１００の中心点Ｏを含み、環状領域は中心領域を対称に取り囲み、周辺領域は環状領域を対称に取り囲み、環状領域は少なくとも１つの臨界点値を含む。コンタクトレンズ１１００の中心領域外に少なくとも１つの光遮断リング１１５０を含んでよい。好ましくは、光遮断リング１１５０が環状領域に設けられる。
或は、周辺領域は、少なくとも１つの光遮断リング１１５０を含んでよい（環状領域から周辺領域まで延在し、つまり周辺領域は光遮断リング１１５０の一部しか含まない）。
【０１０１】
第１１の実施形態において、光遮断リング１１５０は、均一に分布し且つ点状に分布するように設けられ、光遮断リング１１５０の色は赤、橙、黄、緑、青、紺、紫、黒、白、銀又は金色から選ばれてよい。
【０１０２】
第１１の実施形態において、光遮断リング１１５０の最小内径はＤＢｉであり（図４参照）、光遮断リング１１５０の最大外径はＤＢｏであり（図４参照）、コンタクトレンズ１１００の最大外径はＤｏである。ＤＢｉ＝６．８ｍｍ、ＤＢｏ＝９．１ｍｍ、及びＤｏ＝１４ｍｍの条件を満たしてよい。
【０１０３】
第１１の実施形態において、コンタクトレンズ１１００の周辺領域は、更に、少なくとも１つのカラーパターン部（図示せず）を含んでよく、カラーパターン部の細部については、図２Ａ〜図２Ｃのコンタクトレンズ２００又は図３Ａ〜図３Ｃのコンタクトレンズ３００と同じであってよいので、ここで詳細的に説明しない。コンタクトレンズ１１００の他の細部については、図１に示すコンタクトレンズ１００と同じであってよいので、ここで詳細的に説明しない。
【０１０４】
上記本発明のコンタクトレンズにおける各技術特徴の何れも組み合わせて配置して、対応する機能を達成させることができる。
【０１０５】
＜第１２の実施形態＞
図２７は、本発明の第１２の実施形態に係るコンタクトレンズ製品３０を示す模式図である。図２７において、コンタクトレンズ製品３０は、コンタクトレンズ１０を浸すコンタクトレンズ１０と、浸潤溶液２０と、を含む。コンタクトレンズ１０の細部については、図１のコンタクトレンズ１００〜図１１におけるコンタクトレンズ１１００と同じであってよいので、ここで詳細的に説明しない。浸潤溶液２０は、コンタクトレンズを浸し、保存するための市販の溶液であってよい。
【０１０６】
コンタクトレンズ１０と浸潤溶液２０との少なくとも一方が毛様体筋麻痺剤を含んでよい。つまり、コンタクトレンズ１０のみが毛様体筋麻痺剤を含んでよい。又は、浸潤溶液２０のみが毛様体筋麻痺剤を含んでよい。或は、コンタクトレンズ１０と浸潤溶液２０とが同時に毛様体筋麻痺剤を含んでよい。
【０１０７】
具体的には、コンタクトレンズ１０を調製する組成物に毛様体筋麻痺剤を加えて、最終的に成形するコンタクトレンズ１０内に毛様体筋麻痺剤を含ませることで、コンタクトレンズ１０を着用する場合に毛様体筋麻痺剤を緩く放出し、近視の緩和効果に寄与し、コースを簡単化して、患者が単にコンタクトレンズ１０を着用するだけで視力制御機能を有するようになる。或は、コンタクトレンズを浸す、保存する市販の溶液に毛様体筋麻痺剤を加えて、浸潤溶液２０に毛様体筋麻痺剤を含ませて、毛様体筋麻痺剤がコンタクトレンズ１０を着用する時に作用を果たせ、即時性効果を効果的に果たすと共に、コースを簡単化する機能がある。毛様体筋麻痺剤のコンタクトレンズ１０又は浸潤溶液２０に対する重量百分率濃度はＣｏｎＡであり、０％＜ＣｏｎＡ≦１％の条件を満たしてよい。
或は、０％＜ＣｏｎＡ≦０．５％の条件を満たしてよい。
或は、０％＜ＣｏｎＡ≦０．２５％の条件を満たしてよい。
或は、０％＜ＣｏｎＡ≦０．１％の条件を満たしてよい。
或は、０％＜ＣｏｎＡ≦０．０５％の条件を満たしてよい。
或は、０％＜ＣｏｎＡ≦０．０１％の条件を満たしてよい。
【０１０８】
上記実施形態によると、以下、詳しく説明するために、具体的な実施例を提出する。
【０１０９】
＜第１の実施例＞
第１の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第１の実施例におけるコンタクトレンズの構造については図１を参照されたく、カラーパターン部については図２Ａ〜図３Ｃを参照されたく、光遮断リングについては図４〜図１１を参照されたい。第１の実施例のコンタクトレンズは、必要に応じて毛様体筋麻痺剤を含んでよい。
【０１１０】
表１及び図１２を同時に参照されたい。表１に、第１の実施例のコンタクトレンズの半径及び対応する光屈折率を示す。図１２は、第１の実施例のコンタクトレンズの半径と光屈折率との関係図である（負値は、反対方向の半径距離を示すものだけである）。
【０１１１】
【表１】
2019008288.tif 000003
【０１１２】
第１の実施例のコンタクトレンズにおいて、中心領域の光屈折率はＰＯＷＣであり、環状領域の最大光屈折率はＰＰｍａｘであり、中心領域の最大直径はＤｉＣであり、環状領域の最大直径はＤｉＰであり、環状領域の高臨界点値はＰＰＨであり、環状領域の中臨界点値はＰＰＭであり、環状領域の低臨界点値はＰＰＬであり、第１の臨界点値はＰＣＰ１であり、第２の臨界点値はＰＣＰ２であり、第３の臨界点値はＰＣＰ３であり、第４の臨界点値はＰＣＰ４であり、第５の臨界点値はＰＣＰ５であり、第６の臨界点値はＰＣＰ６である。第１の実施例の前記パラメータの数値及び関連条件式の数値については、表２を参照されたい。
【０１１３】
【表２】
2019008288.tif 000004
【０１１４】
＜第２の実施例＞
第２の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第２の実施例におけるコンタクトレンズの構造については図１を参照されたく、カラーパターン部については図２Ａ〜図３Ｃを参照されたく、光遮断リングについては図４〜図１１を参照されたい。環状領域は一つの高臨界点を含む。第２の実施例のコンタクトレンズは、必要に応じて毛様体筋麻痺剤を含んでよい。
【０１１５】
表３及び図１３を同時に参照されたい。表３に、第２の実施例のコンタクトレンズの半径及び対応する光屈折率を示す。図１３は、第２の実施例のコンタクトレンズの半径と光屈折率との関係図である（負値は、反対方向の半径距離を示すものだけである）。
【０１１６】
【表３】
2019008288.tif 000005
【０１１７】
第２の実施例のコンタクトレンズにおいて、ＰＯＷＣ、ＰＰｍａｘ、ＤｉＣ、ＤｉＰ、ＰＰＨ、ＰＰＭ、ＰＰＬ、ＰＣＰ１、ＰＣＰ２、ＰＣＰ３、ＰＣＰ４、ＰＣＰ５、ＰＣＰ６等のパラメータの数値及び関連条件式の数値については表４を参照されたい。前記パラメータの定義については第１の実施例を参照されたい。
【０１１８】
【表４】
2019008288.tif 000006
【０１１９】
第２の実施例のコンタクトレンズにおいて、第１の臨界点はＣＰ１であり、第２の臨界点はＣＰ２であり、第３の臨界点はＣＰ３であり、第４の臨界点はＣＰ４であり、第５の臨界点はＣＰ５であり、第６の臨界点はＣＰ６である。第２の実施例の前記臨界点の種類については、表５を参照されたい。
【０１２０】
【表５】
2019008288.tif 000007
【０１２１】
＜第３の実施例＞
第３の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第３の実施例におけるコンタクトレンズの構造については図１を参照されたく、カラーパターン部については図２Ａ〜図３Ｃを参照されたく、光遮断リングについては図４〜図１１を参照されたい。環状領域は一つの低臨界点を含む。第３の実施例のコンタクトレンズは、必要に応じて毛様体筋麻痺剤を含んでよい。
【０１２２】
＜第４の実施例＞
第４の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第４の実施例におけるコンタクトレンズの構造については図１を参照されたく、カラーパターン部については図２Ａ〜図３Ｃを参照されたく、光遮断リングについては図４〜図１１を参照されたい。環状領域は一つの高臨界点及び一つの低臨界点を含む。第４の実施例のコンタクトレンズは、必要に応じて毛様体筋麻痺剤を含んでよい。
【０１２３】
＜第５の実施例＞
第５の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第５の実施例におけるコンタクトレンズの構造については図１を参照されたく、カラーパターン部については図２Ａ〜図３Ｃを参照されたく、光遮断リングについては図４〜図１１を参照されたい。環状領域は２つの高臨界点を含む。第５の実施例のコンタクトレンズは、必要に応じて毛様体筋麻痺剤を含んでよい。
【０１２４】
表６及び図１４を同時に参照されたい。表６に、第５の実施例のコンタクトレンズの半径及び対応する光屈折率を示す。図１４は、第５の実施例のコンタクトレンズの半径と光屈折率との関係図である（負値は、反対方向の半径距離を示すものだけである）。
【０１２５】
【表６】
2019008288.tif 000008
【０１２６】
第５の実施例のコンタクトレンズにおいて、ＰＯＷＣ、ＰＰｍａｘ、ＤｉＣ、ＤｉＰ、ＰＰＨ、ＰＰＭ、ＰＰＬ、ＰＣＰ１、ＰＣＰ２、ＰＣＰ３、ＰＣＰ４、ＰＣＰ５、ＰＣＰ６等のパラメータの数値及び関連条件式の数値については、表７を参照されたい。前記パラメータの定義については第１の実施例を参照されたい。
【０１２７】
【表７】
2019008288.tif 000009
【０１２８】
第５の実施例のコンタクトレンズにおいて、第１の臨界点はＣＰ１であり、第２の臨界点はＣＰ２であり、第３の臨界点はＣＰ３であり、第４の臨界点はＣＰ４であり、第５の臨界点はＣＰ５であり、第６の臨界点はＣＰ６である。第５の実施例の前記臨界点の種類については、表８を参照されたい。
【０１２９】
【表８】
2019008288.tif 000010
【０１３０】
＜第６の実施例＞
第６の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第６の実施例におけるコンタクトレンズの構造については図１を参照されたく、カラーパターン部については図２Ａ〜図３Ｃを参照されたく、光遮断リングについては図４〜図１１を参照されたい。環状領域は２つの低臨界点を含む。第６の実施例のコンタクトレンズは、必要に応じて毛様体筋麻痺剤を含んでよい。
【０１３１】
表９及び図１５を同時に参照されたい。表９に、第６の実施例のコンタクトレンズの半径及び対応する光屈折率を示す。図１５は、第６の実施例のコンタクトレンズの半径と光屈折率との関係図である（負値は、反対方向の半径距離を示すものだけである）。
【０１３２】
【表９】
2019008288.tif 000011
【０１３３】
第６の実施例のコンタクトレンズにおいて、ＰＯＷＣ、ＰＰｍａｘ、ＤｉＣ、ＤｉＰ、ＰＰＨ、ＰＰＭ、ＰＰＬ、ＰＣＰ１、ＰＣＰ２、ＰＣＰ３、ＰＣＰ４、ＰＣＰ５、ＰＣＰ６等のパラメータの数値及び関連条件式の数値については表１０を参照されたい。前記パラメータの定義については第１の実施例を参照されたい。
【０１３４】
【表１０】
2019008288.tif 000012
【０１３５】
第６の実施例のコンタクトレンズにおいて、第１の臨界点はＣＰ１であり、第２の臨界点はＣＰ２であり、第３の臨界点はＣＰ３であり、第４の臨界点はＣＰ４であり、第５の臨界点はＣＰ５であり、第６の臨界点はＣＰ６である。第６の実施例の前記臨界点の種類について、表１１を参照されたい。
【０１３６】
【表１１】
2019008288.tif 000013
【０１３７】
＜第７の実施例＞
第７の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第７の実施例におけるコンタクトレンズの構造については図１を参照されたく、カラーパターン部については図２Ａ〜図３Ｃを参照されたく、光遮断リングについては図４〜図１１を参照されたい。環状領域は、２つの高臨界点、一つの中臨界点及び一つの低臨界点を含む。第７の実施例のコンタクトレンズは、必要に応じて毛様体筋麻痺剤を含んでよい。
【０１３８】
表１２及び図１６を同時に参照されたい。表１２に、第７の実施例のコンタクトレンズの半径及び対応する光屈折率を示す。図１６は、第７の実施例のコンタクトレンズの半径と光屈折率との関係図である（負値は、反対方向の半径距離を示すものだけである）。
【０１３９】
【表１２】
2019008288.tif 000014
【０１４０】
第７の実施例のコンタクトレンズにおいて、ＰＯＷＣ、ＰＰｍａｘ、ＤｉＣ、ＤｉＰ、ＰＰＨ、ＰＰＭ、ＰＰＬ、ＰＣＰ１、ＰＣＰ２、ＰＣＰ３、ＰＣＰ４、ＰＣＰ５、ＰＣＰ６等のパラメータの数値及び関連条件式の数値については表１３を参照されたい。前記パラメータの定義については第１の実施例を参照されたい。
【０１４１】
【表１３】
2019008288.tif 000015
【０１４２】
第７の実施例のコンタクトレンズにおいて、第１の臨界点はＣＰ１であり、第２の臨界点はＣＰ２であり、第３の臨界点はＣＰ３であり、第４の臨界点はＣＰ４であり、第５の臨界点はＣＰ５であり、第６の臨界点はＣＰ６である。第７の実施例の前記臨界点の種類については表１４を参照されたい。
【０１４３】
【表１４】
2019008288.tif 000016
【０１４４】
＜第８の実施例＞
第８の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第８の実施例におけるコンタクトレンズの構造については図１を参照されたく、カラーパターン部については図２Ａ〜図３Ｃを参照されたく、光遮断リングについては図４〜図１１を参照されたい。環状領域は、一つの高臨界点及び２つの低臨界点を含む。第８の実施例のコンタクトレンズは、必要に応じて毛様体筋麻痺剤を含んでよい。
【０１４５】
＜第９の実施例＞
第９の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第９の実施例におけるコンタクトレンズの構造については図１を参照されたく、カラーパターン部については図２Ａ〜図３Ｃを参照されたく、光遮断リングについては図４〜図１１を参照されたい。環状領域は、２つの高臨界点、１つの中臨界点及び２つの低臨界点を含む。第９の実施例のコンタクトレンズは、必要に応じて毛様体筋麻痺剤を含んでよい。
【０１４６】
表１５及び図１７を同時に参照されたい。表１５に、第９の実施例のコンタクトレンズの半径及び対応する光屈折率を示す。図１７は、第９の実施例のコンタクトレンズの半径と光屈折率との関係図である（負値は、反対方向の半径距離を示すものだけである）。
【０１４７】
【表１５】
2019008288.tif 000017
【０１４８】
第９の実施例のコンタクトレンズにおいて、ＰＯＷＣ、ＰＰｍａｘ、ＤｉＣ、ＤｉＰ、ＰＰＨ、ＰＰＭ、ＰＰＬ、ＰＣＰ１、ＰＣＰ２、ＰＣＰ３、ＰＣＰ４、ＰＣＰ５、ＰＣＰ６等のパラメータの数値及び関連条件式の数値については、表１６を参照されたい。前記パラメータの定義については第１の実施例を参照されたい。
【０１４９】
【表１６】
2019008288.tif 000018
【０１５０】
第９の実施例のコンタクトレンズにおいて、第１の臨界点はＣＰ１であり、第２の臨界点はＣＰ２であり、第３の臨界点はＣＰ３であり、第４の臨界点はＣＰ４であり、第５の臨界点はＣＰ５であり、第６の臨界点はＣＰ６である。第９の実施例の前記臨界点の種類については、表１７を参照されたい。
【０１５１】
【表１７】
2019008288.tif 000019
【０１５２】
＜第１０の実施例＞
第１０の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第１０の実施例におけるコンタクトレンズの構造については図１を参照されたく、カラーパターン部については図２Ａ〜図３Ｃを参照されたく、光遮断リングについては図４〜図１１を参照されたい。環状領域は３つの高臨界点を含む。第１０の実施例のコンタクトレンズは、必要に応じて毛様体筋麻痺剤を含んでよい。
【０１５３】
表１８及び図１８を参照されたい。表１８に、第１０の実施例のコンタクトレンズの半径及び対応する光屈折率を示す。図１８は、第１０の実施例のコンタクトレンズの半径と光屈折率との関係図である（負値は、反対方向の半径距離を示すものだけである）。
【０１５４】
【表１８】
2019008288.tif 000020
【０１５５】
第１０の実施例のコンタクトレンズにおいて、ＰＯＷＣ、ＰＰｍａｘ、ＤｉＣ、ＤｉＰ、ＰＰＨ、ＰＰＭ、ＰＰＬ、ＰＣＰ１、ＰＣＰ２、ＰＣＰ３、ＰＣＰ４、ＰＣＰ５、ＰＣＰ６等のパラメータの数値及び関連条件式の数値については表１９を参照されたい。前記パラメータの定義については第１の実施例を参照されたい。
【０１５６】
【表１９】
2019008288.tif 000021
【０１５７】
第１０の実施例のコンタクトレンズにおいて、第１の臨界点はＣＰ１であり、第２の臨界点はＣＰ２であり、第３の臨界点はＣＰ３であり、第４の臨界点はＣＰ４であり、第５の臨界点はＣＰ５であり、第６の臨界点はＣＰ６である。第１０の実施例の前記臨界点の種類については表２０を参照されたい。
【０１５８】
【表２０】
2019008288.tif 000022
【０１５９】
＜第１１の実施例＞
第１１の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第１１の実施例におけるコンタクトレンズの構造については図１を参照されたく、カラーパターン部については図２Ａ〜図３Ｃを参照されたく、光遮断リングについては図４〜図１１を参照されたい。環状領域は、一つの中臨界点及び３つの低臨界点を含む。第１１の実施例のコンタクトレンズは、必要に応じて毛様体筋麻痺剤を含んでよい。
【０１６０】
＜第１２の実施例＞
第１２の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第１２の実施例におけるコンタクトレンズの構造については図１を参照されたく、カラーパターン部については図２Ａ〜図３Ｃを参照されたく、光遮断リングについては図４〜図１１を参照されたい。環状領域は３つの高臨界点及び１つの低臨界点を含む。第１２の実施例のコンタクトレンズは、必要に応じて毛様体筋麻痺剤を含んでよい。
【０１６１】
表２１及び図１９を同時に参照されたい。表２１に、第１２の実施例のコンタクトレンズの半径及び対応する光屈折率を示す。図１９は、第１２の実施例のコンタクトレンズの半径と光屈折率との関係図である（負値は、反対方向の半径距離を示すものだけである）。
【０１６２】
【表２１】
2019008288.tif 000023
【０１６３】
第１２の実施例のコンタクトレンズにおいて、ＰＯＷＣ、ＰＰｍａｘ、ＤｉＣ、ＤｉＰ、ＰＰＨ、ＰＰＭ、ＰＰＬ、ＰＣＰ１、ＰＣＰ２、ＰＣＰ３、ＰＣＰ４、ＰＣＰ５、ＰＣＰ６等のパラメータの数値及び関連条件式の数値については表２２を参照されたい。前記パラメータの定義については第１の実施例を参照されたい。
【０１６４】
【表２２】
2019008288.tif 000024
【０１６５】
第１２の実施例のコンタクトレンズにおいて、第１の臨界点はＣＰ１であり、第２の臨界点はＣＰ２であり、第３の臨界点はＣＰ３であり、第４の臨界点はＣＰ４であり、第５の臨界点はＣＰ５であり、第６の臨界点はＣＰ６である。第１２の実施例の前記臨界点の種類については表２３を参照されたい。
【０１６６】
【表２３】
2019008288.tif 000025
【０１６７】
＜第１３の実施例＞
第１３の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第１３の実施例におけるコンタクトレンズの構造については図１を参照されたく、カラーパターン部については図２Ａ〜図３Ｃを参照されたく、光遮断リングについては図４〜図１１を参照されたい。環状領域は一つの高臨界点及び三つの低臨界点を含む。第１３の実施例のコンタクトレンズは、必要に応じて毛様体筋麻痺剤を含んでよい。
【０１６８】
＜第１４の実施例＞
第１４の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第１４の実施例におけるコンタクトレンズの構造については図１を参照されたく、カラーパターン部については図２Ａ〜図３Ｃを参照されたく、光遮断リングについては図４〜図１１を参照されたい。環状領域は３つの高臨界点、１つの中臨界点及び２つの低臨界点を含む。第１４の実施例のコンタクトレンズは、必要に応じて毛様体筋麻痺剤を含んでよい。
【０１６９】
＜第１５の実施例＞
第１５の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第１５の実施例におけるコンタクトレンズの構造については図１を参照されたく、カラーパターン部については図２Ａ〜図３Ｃを参照されたく、光遮断リングについては図４〜図１１を参照されたい。環状領域は２つの高臨界点及び３つの低臨界点を含む。第１５の実施例のコンタクトレンズは、必要に応じて毛様体筋麻痺剤を含んでよい。
【０１７０】
＜第１６の実施例＞
第１６の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第１６の実施例におけるコンタクトレンズの構造については図１を参照されたく、カラーパターン部については図２Ａ〜図３Ｃを参照されたく、光遮断リングについては図４〜図１１を参照されたい。環状領域は３つの高臨界点及び３つの低臨界点を含む。第１６の実施例のコンタクトレンズは、必要に応じて毛様体筋麻痺剤を含んでよい。
【０１７１】
表２４及び図２０を同時に参照されたい。表２４に、第１６の実施例のコンタクトレンズの半径及び対応する光屈折率を示す。図２０は、第１６の実施例のコンタクトレンズの半径と光屈折率との関係図である（負値は、反対方向の半径距離を示すものだけである）。
【０１７２】
【表２４】
2019008288.tif 000026
【０１７３】
第１６の実施例のコンタクトレンズにおいて、ＰＯＷＣ、ＰＰｍａｘ、ＤｉＣ、ＤｉＰ、ＰＰＨ、ＰＰＭ、ＰＰＬ、ＰＣＰ１、ＰＣＰ２、ＰＣＰ３、ＰＣＰ４、ＰＣＰ５、ＰＣＰ６等のパラメータの数値及び関連条件式の数値については表２５を参照されたい。前記パラメータの定義については第１の実施例を参照されたい。
【０１７４】
【表２５】
2019008288.tif 000027
【０１７５】
第１６の実施例のコンタクトレンズにおいて、第１の臨界点はＣＰ１であり、第２の臨界点はＣＰ２であり、第３の臨界点はＣＰ３であり、第４の臨界点はＣＰ４であり、第５の臨界点はＣＰ５であり、第６の臨界点はＣＰ６である。第１６の実施例の前記臨界点の種類については表２６を参照されたい。
【０１７６】
【表２６】
2019008288.tif 000028
【０１７７】
＜第１７の実施例＞
第１７の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第１７の実施例におけるコンタクトレンズの構造については図１を参照されたく、カラーパターン部については図２Ａ〜図３Ｃを参照されたく、光遮断リングについては図４〜図１１を参照されたい。環状領域は、４つの高臨界点及び１つの中臨界点を含む。第１７の実施例のコンタクトレンズは、必要に応じて毛様体筋麻痺剤を含んでよい。
【０１７８】
＜第１８の実施例＞
第１８の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第１８の実施例におけるコンタクトレンズの構造については図１を参照されたく、カラーパターン部については図２Ａ〜図３Ｃを参照されたく、光遮断リングについては図４〜図１１を参照されたい。環状領域は４つの低臨界点を含む。第１８の実施例のコンタクトレンズは、必要に応じて毛様体筋麻痺剤を含んでよい。
【０１７９】
＜第１９の実施例＞
第１９の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第１９の実施例におけるコンタクトレンズの構造については図１を参照されたく、カラーパターン部については図２Ａ〜図３Ｃを参照されたく、光遮断リングについては図４〜図１１を参照されたい。環状領域は４つの高臨界点、２つの中臨界点及び１つの低臨界点を含む。第１９の実施例のコンタクトレンズは、必要に応じて毛様体筋麻痺剤を含んでよい。
【０１８０】
＜第２０の実施例＞
第２０の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第２０の実施例におけるコンタクトレンズの構造については図１を参照されたく、カラーパターン部については図２Ａ〜図３Ｃを参照されたく、光遮断リングについては図４〜図１１を参照されたい。環状領域は、１つの高臨界点、１つの中臨界点及び４つの低臨界点を含む。第２０の実施例のコンタクトレンズは、必要に応じて毛様体筋麻痺剤を含んでよい。
【０１８１】
＜第２１の実施例＞
第２１の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第２１の実施例におけるコンタクトレンズの構造については図１を参照されたく、カラーパターン部については図２Ａ〜図３Ｃを参照されたく、光遮断リングについては図４〜図１１を参照されたい。環状領域は４つの高臨界点及び２つの低臨界点を含む。第２１の実施例のコンタクトレンズは、必要に応じて毛様体筋麻痺剤を含んでよい。
【０１８２】
表２７及び図２１を同時に参照されたい。表２７に、第２１の実施例のコンタクトレンズの半径及び対応する光屈折率を示す。図２１は、第２１の実施例のコンタクトレンズの半径と光屈折率との関係図である（負値は、反対方向の半径距離を示すものだけである）。
【０１８３】
【表２７】
2019008288.tif 000029
【０１８４】
第２１の実施例のコンタクトレンズにおいて、ＰＯＷＣ、ＰＰｍａｘ、ＤｉＣ、ＤｉＰ、ＰＰＨ、ＰＰＭ、ＰＰＬ、ＰＣＰ１、ＰＣＰ２、ＰＣＰ３、ＰＣＰ４、ＰＣＰ５、ＰＣＰ６等のパラメータの数値及び関連条件式の数値については表２８を参照されたい。前記パラメータの定義については第１の実施例を参照されたい。
【０１８５】
【表２８】
2019008288.tif 000030
【０１８６】
第２１の実施例のコンタクトレンズにおいて、第１の臨界点はＣＰ１であり、第２の臨界点はＣＰ２であり、第３の臨界点はＣＰ３であり、第４の臨界点はＣＰ４であり、第５の臨界点はＣＰ５であり、第６の臨界点はＣＰ６である。第２１の実施例の前記臨界点の種類については表２９を参照されたい。
【０１８７】
【表２９】
2019008288.tif 000031
【０１８８】
＜第２２の実施例＞
第２２の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第２２の実施例におけるコンタクトレンズの構造については図１を参照されたく、カラーパターン部については参照図２Ａ〜図２３、光遮断リングについては図４〜図１１を参照されたい。環状領域は２つの高臨界点、１つの中臨界点及び４つの低臨界点を含む。第２２の実施例のコンタクトレンズは、必要に応じて毛様体筋麻痺剤を含んでよい。
【０１８９】
＜第２３の実施例＞
第２３の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第２３の実施例におけるコンタクトレンズの構造については図１を参照されたく、カラーパターン部については図２Ａ〜図３Ｃを参照されたく、光遮断リングについては図４〜図１１を参照されたい。環状領域は４つの高臨界点、３つの中臨界点及び３つの低臨界点を含む。第２３の実施例のコンタクトレンズは、必要に応じて毛様体筋麻痺剤を含んでよい。
【０１９０】
＜第２４の実施例＞
第２４の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第２４の実施例におけるコンタクトレンズの構造については図１を参照されたく、カラーパターン部については図２Ａ〜図３Ｃを参照されたく、光遮断リングについては図４〜図１１を参照されたい。環状領域は３つの高臨界点、１つの中臨界点及び４つの低臨界点を含む。第２４の実施例のコンタクトレンズは、必要に応じて毛様体筋麻痺剤を含んでよい。
【０１９１】
＜第２５の実施例＞
第２５の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第２５の実施例におけるコンタクトレンズの構造については図１を参照されたく、カラーパターン部については図２Ａ〜図３Ｃを参照されたく、光遮断リングについては図４〜図１１を参照されたい。環状領域は４つの高臨界点、２つの中臨界点及び４つの低臨界点を含む。第２５の実施例のコンタクトレンズは、必要に応じて毛様体筋麻痺剤を含んでよい。
【０１９２】
＜第２６の実施例＞
第２６の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第２６の実施例におけるコンタクトレンズの構造については図１を参照されたく、カラーパターン部については図２Ａ〜図３Ｃを参照されたく、光遮断リングについては図４〜図１１を参照されたい。環状領域は２つの高臨界点及び１つの低臨界点を含む。第２６の実施例のコンタクトレンズは、必要に応じて毛様体筋麻痺剤を含んでよい。
【０１９３】
表３０及び図２２を同時に参照されたい。表３０に、第２６の実施例のコンタクトレンズの半径及び対応する光屈折率を示す。図２２は、第２６の実施例のコンタクトレンズの半径と光屈折率との関係図である（負値は、反対方向の半径距離を示すものだけである）。
【０１９４】
【表３０】
2019008288.tif 000032
【０１９５】
第２６の実施例のコンタクトレンズにおいて、ＰＯＷＣ、ＰＰｍａｘ、ＤｉＣ、ＤｉＰ、ＰＰＨ、ＰＰＭ、ＰＰＬ、ＰＣＰ１、ＰＣＰ２、ＰＣＰ３、ＰＣＰ４、ＰＣＰ５、ＰＣＰ６等のパラメータの数値及び関連条件式の数値については表３１を参照されたい。前記パラメータの定義については第１の実施例を参照されたい。
【０１９６】
【表３１】
2019008288.tif 000033
【０１９７】
第２６の実施例のコンタクトレンズにおいて、第１の臨界点はＣＰ１であり、第２の臨界点はＣＰ２であり、第３の臨界点はＣＰ３であり、第４の臨界点はＣＰ４であり、第５の臨界点はＣＰ５であり、第６の臨界点はＣＰ６である。第２６の実施例の前記臨界点の種類については、表３２を参照されたい。
【０１９８】
【表３２】
2019008288.tif 000034
【０１９９】
＜第２７の実施例＞
第２７の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第２７の実施例におけるコンタクトレンズの構造については図１を参照されたく、カラーパターン部については図２Ａ〜図３Ｃを参照されたく、光遮断リングについては図４〜図１１を参照されたい。環状領域は２つの高臨界点及び１つの低臨界点を含む。第２７の実施例のコンタクトレンズは、必要に応じて毛様体筋麻痺剤を含んでよい。
【０２００】
表３３及び図２３を同時に参照されたい。表３３に、第２７の実施例のコンタクトレンズの半径及び対応する光屈折率を示す。図２３は、第２７の実施例のコンタクトレンズの半径と光屈折率との関係図である（負値は、反対方向の半径距離を示すものだけである）。
【０２０１】
【表３３】
2019008288.tif 000035
【０２０２】
第２７の実施例のコンタクトレンズにおいて、ＰＯＷＣ、ＰＰｍａｘ、ＤｉＣ、ＤｉＰ、ＰＰＨ、ＰＰＭ、ＰＰＬ、ＰＣＰ１、ＰＣＰ２、ＰＣＰ３、ＰＣＰ４、ＰＣＰ５、ＰＣＰ６等のパラメータの数値及び関連条件式の数値については表３４を参照されたい。前記パラメータの定義については第１の実施例を参照されたい。
【０２０３】
【表３４】
2019008288.tif 000036
【０２０４】
第２７の実施例のコンタクトレンズにおいて、第１の臨界点はＣＰ１であり、第２の臨界点はＣＰ２であり、第３の臨界点はＣＰ３であり、第４の臨界点はＣＰ４であり、第５の臨界点はＣＰ５であり、第６の臨界点はＣＰ６である。第２７の実施例の前記臨界点の種類については、表３５を参照されたい。
【０２０５】
【表３５】
2019008288.tif 000037
【０２０６】
＜第２８の実施例＞
第２８の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第２８の実施例におけるコンタクトレンズの構造については図１を参照されたく、カラーパターン部については図２Ａ〜図３Ｃを参照されたく、光遮断リングについては図４〜図１１を参照されたい。環状領域は２つの高臨界点及び１つの低臨界点を含む。第２８の実施例のコンタクトレンズは、必要に応じて毛様体筋麻痺剤を含んでよい。
【０２０７】
表３６及び図２４を同時に参照されたい。表３６に、第２８の実施例のコンタクトレンズの半径及び対応する光屈折率を示す。図２４は、第２８の実施例のコンタクトレンズの半径と光屈折率との関係図である（負値は、反対方向の半径距離を示すものだけである）。
【０２０８】
【表３６】
2019008288.tif 000038
【０２０９】
第２８の実施例のコンタクトレンズにおいて、ＰＯＷＣ、ＰＰｍａｘ、ＤｉＣ、ＤｉＰ、ＰＰＨ、ＰＰＭ、ＰＰＬ、ＰＣＰ１、ＰＣＰ２、ＰＣＰ３、ＰＣＰ４、ＰＣＰ５、ＰＣＰ６等のパラメータの数値及び関連条件式の数値については表３７を参照されたい。前記パラメータの定義については第１の実施例を参照されたい。
【０２１０】
【表３７】
2019008288.tif 000039
【０２１１】
第２８の実施例のコンタクトレンズにおいて、第１の臨界点はＣＰ１であり、第２の臨界点はＣＰ２であり、第３の臨界点はＣＰ３であり、第４の臨界点はＣＰ４であり、第５の臨界点はＣＰ５であり、第６の臨界点はＣＰ６である。第２８の実施例の前記臨界点の種類については、表３８を参照されたい。
【０２１２】
【表３８】
2019008288.tif 000040
【０２１３】
＜第２９の実施例＞
第２９の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第２９の実施例におけるコンタクトレンズの構造については図１を参照されたく、カラーパターン部については図２Ａ〜図３Ｃを参照されたく、光遮断リングについては図４〜図１１を参照されたい。環状領域は２つの高臨界点及び１つの低臨界点を含む。第２９の実施例のコンタクトレンズは、必要に応じて毛様体筋麻痺剤を含んでよい。
【０２１４】
表３９及び図２５を同時に参照されたい。表３９に、第２９の実施例のコンタクトレンズの半径及び対応する光屈折率を示す。図２５は、第２９の実施例のコンタクトレンズの半径と光屈折率との関係図である（負値は、反対方向の半径距離を示すものだけである）。
【０２１５】
【表３９】
2019008288.tif 000041
【０２１６】
第２９の実施例のコンタクトレンズにおいて、ＰＯＷＣ、ＰＰｍａｘ、ＤｉＣ、ＤｉＰ、ＰＰＨ、ＰＰＭ、ＰＰＬ、ＰＣＰ１、ＰＣＰ２、ＰＣＰ３、ＰＣＰ４、ＰＣＰ５、ＰＣＰ６等のパラメータの数値及び関連条件式の数値については表４０を参照されたい。前記パラメータの定義については第１の実施例を参照されたい。
【０２１７】
【表４０】
2019008288.tif 000042
【０２１８】
第２９の実施例のコンタクトレンズにおいて、第１の臨界点はＣＰ１であり、第２の臨界点はＣＰ２であり、第３の臨界点はＣＰ３であり、第４の臨界点はＣＰ４であり、第５の臨界点はＣＰ５であり、第６の臨界点はＣＰ６である。第２９の実施例の前記臨界点の種類については表４１を参照されたい。
【０２１９】
【表４１】
2019008288.tif 000043
【０２２０】
＜第３０の実施例＞
第３０の実施例のコンタクトレンズは、コンタクトレンズの中心点を含む中心領域と、中心領域を対称に取り囲む環状領域と、環状領域を対称に取り囲む周辺領域と、を含む。周辺領域は少なくとも１つのカラーパターン部を含んでよい。中心領域外に少なくとも１つの光遮断リングを含んでよい。第３０の実施例におけるコンタクトレンズの構造については図１を参照されたく、カラーパターン部については図２Ａ〜図３Ｃを参照されたく、光遮断リングについては図４〜図１１を参照されたい。環状領域は、２つの高臨界点及び一つの中臨界点を含む。第３０の実施例のコンタクトレンズは、必要に応じて毛様体筋麻痺剤を含んでよい。
【０２２１】
表４２及び図２６を同時に参照されたい。表４２に、第３０の実施例のコンタクトレンズの半径及び対応する光屈折率を示す。図２６は、第３０の実施例のコンタクトレンズの半径と光屈折率との関係図である（負値は、反対方向の半径距離を示すものだけである）。
【０２２２】
【表４２】
2019008288.tif 000044
【０２２３】
第３０の実施例のコンタクトレンズにおいて、ＰＯＷＣ、ＰＰｍａｘ、ＤｉＣ、ＤｉＰ、ＰＰＨ、ＰＰＭ、ＰＰＬ、ＰＣＰ１、ＰＣＰ２、ＰＣＰ３、ＰＣＰ４、ＰＣＰ５、ＰＣＰ６等のパラメータの数値及び関連条件式の数値については表４３を参照されたい。前記パラメータの定義については第１の実施例を参照されたい。
【０２２４】
【表４３】
2019008288.tif 000045
【０２２５】
第３０の実施例のコンタクトレンズにおいて、第１の臨界点はＣＰ１であり、第２の臨界点はＣＰ２であり、第３の臨界点はＣＰ３であり、第４の臨界点はＣＰ４であり、第５の臨界点はＣＰ５であり、第６の臨界点はＣＰ６である。第３０の実施例の前記臨界点の種類については表４４を参照されたい。
【０２２６】
【表４４】
2019008288.tif 000046
【０２２７】
上記実施例から分かるように、本発明のコンタクトレンズは、少なくとも１つの臨界点を含むことで、焦点ぼけ程度を区分的に向上させまた漸進的に緩和し、中心領域から離れる箇所の光屈折率の向上幅を効果的に緩和し、着用の快適性を向上させ、長周期治療の可能性を高くすることができる。
【０２２８】
本発明のコンタクトレンズによると、中心領域が着用者の中央視野をはっきり焦点合わせる機能を持つが、着用場合の不快感を低減するために、場合によって着用者の近視度数より０．２５Ｄ〜０．５０Ｄ低減してもよい。中心領域はコンタクトレンズの中心点を含み、且つ光屈折率が変わらない。
【０２２９】
本発明のコンタクトレンズによると、環状領域は、近視を予防又は抑制することができる。環状領域の直径は、最大８ｍｍであってよい。環状領域に少なくとも１つの光遮断リング又はカラーパターン部が設けられてよい（周辺領域から環状領域まで延在する）。
【０２３０】
本発明のコンタクトレンズによると、周辺領域により、コンタクトレンズが眼球に付着し、支持機能を持つようになる。周辺領域に少なくとも１つのカラーパターン部又は少なくとも１つの光遮断リングが設けられてもよい（環状領域から周辺領域まで延在する）。周辺領域は、直径８ｍｍより大きい環状領域である。
【０２３１】
本発明のコンタクトレンズによると、カラーパターン部は、主に周辺領域に設けられ、環状領域まで延在してよく（つまり環状領域がその一部を占める）、一般的に、不規則なパターンを有し、放射状、花弁状又はリング状であってよいが、それらに限定されない。複数のカラーパターン部の各々は、赤、橙、黄、緑、青、紺、紫、黒、白、銀又は金色から選ばれる１つの色を有する。カラーパターン部が黒色である場合、その最大外径は１２．０ｍｍより大きい。コンタクトレンズの中心点を中心として、コンタクトレンズを水平及び垂直にＡＢＣＤ４つの象限領域に切ると、少なくとも２つの象限領域が、繰り返したパターンを有するように対称になり、異なる象限の達成に寄与するが迷光を一致して低減する効果があり、４つの象限領域における繰り返したパターンが多ければ、迷光を低減する一致性がよりよい。カラーパターン部は、使用者が着用方向を正確にする機能の提供に寄与するように、正反識別可能なパターンに設計されてもよい。
【０２３２】
本発明のコンタクトレンズによると、光遮断リングは中心領域以外の領域に設けられ、具体的には、光遮断リングが主に環状領域に設けられ、周辺領域まで延在してもよい（つまり周辺領域が一部しかを占めない）。光遮断リングは、一般的に、均一に分布し、単一色、点状に分布したもの、単一のリング、複数のリング等であってよい。光遮断リングの色は、赤、橙、黄、緑、青、紺、紫、黒、白、銀又は金色から選ばれてよい。
【０２３３】
本発明のコンタクトレンズによると、光遮断リングの最小可視光の平均透過率は、５０％より小さくてよい。或は、４０％より小さくてよい。或は、３０％より小さくてよい。或は、１５％より小さくてよい。前記最小可視光の平均透過率は、下記のように測定する。光遮断リングにおける如何なる点を選用して可視光の平均透過率測定を行い（範囲４００ｎｍ〜７００ｎｍ）、光遮断リング領域に測定された透過率が最低になるものを、光遮断リングの最小可視光の平均透過率とし、一般的に、黒色光遮断リングの最小可視光の平均透過率が１０％より小さく、半透明光遮断リングの最小可視光平均光透過率が５０％より小さい。
【０２３４】
本発明のコンタクトレンズによると、臨界点とは、半径と光屈折率との関係図における接線の傾斜度が０になる点であり、つまりその接線がＹ軸に垂直であり（Ｄ値）、臨界点に最も近づく左右の２つの点のＤ値は同時に臨界点値より大きく又は小さければならない。臨界点の数の算出として、コンタクトレンズの中心点から外へコンタクトレンズの周辺まで如何なる半径線分を取って、前記半径線分における半径と光屈折率との関係図を描き、前記半径線分の環状領域における臨界点の数を算出し、前記臨界点は高臨界点、中臨界点及び低臨界点を含む可能性がある。また、同じＤ値の臨界点値を１回しか算出しない。
【０２３５】
本発明のコンタクトレンズによると、Ｄ値とは、光屈折率の大きさである。
【０２３６】
本発明のコンタクトレンズによると、臨界点は、中心から周辺への順序によって名付けられ、中心に最も近い臨界点は第１の臨界点（Ｃｒｉｔｉｃａｌ  Ｐｏｉｎｔ  １；ＣＰ１）であり、次に、周辺方向への順次に第２の臨界点、第３の臨界点であり、このように類推すればよい。
【０２３７】
本発明のコンタクトレンズによると、第１の臨界点値（Ｐｏｗｅｒ  ｏｆ  Ｃｒｉｔｉｃａｌ  Ｐｏｉｎｔ  １；ＰＣＰ１）は第１の臨界点の光屈折率であり、第２の臨界点値（ＰＣＰ２）は第２の臨界点の光屈折率であり、このように類推すればよい。
【０２３８】
本発明のコンタクトレンズによると、コンタクトレンズは、可視光の平均透過率が９２％より大きい透明シートであってよい。或は、可視光の平均透過率が８３％より大きい青染料が添加されてよい。或は、可視光の平均透過率が９１％より大きい紫外光吸収剤（ＵＶ  ａｂｓｏｒｂｅｒ）が添加されてよい。或は、可視光の平均透過率が７５％より大きい青光吸収剤（ｂｌｕｅ  ｂｌｏｃｋｅｒ）が添加されてよい。
【０２３９】
本発明における毛様体筋麻痺剤は、アトロピン（Ａｔｒｏｐｉｎｅ、（３-ｅｎｄｏ）-８-Ｍｅｔｈｙｌ-８-ａｚａｂｉｃｙｃｌｏ[３．２．１]ｏｃｔ-３-ｙｌ  ｔｒｏｐａｔｅ）、 トロピカミド（Ｔｒｏｐｉｃａｍｉｄｅ、Ｎ-Ｅｔｈｙｌ-３-ｈｙｄｒｏｘｙ-２-ｐｈｅｎｙｌ-Ｎ-（４-ｐｙｒｉｄｉｎｙｌｍｅｔｈｙｌ）ｐｒｏｐａｎａｍｉｄｅ）、シクロペントレート（Ｃｙｃｌｏｐｅｎｔｏｌａｔｅ、２-（Ｄｉｍｅｔｈｙｌａｍｉｎｏ）ｅｔｈｙｌ（１-ｈｙｄｒｏｘｙｃｙｃｌｏｐｅｎｔｙｌ）（ｐｈｅｎｙｌ）ａｃｅｔａｔｅ）、ホマトロピン（Ｈｏｍａｔｒｏｐｉｎｅ、（３-ｅｎｄｏ）-８-Ｍｅｔｈｙｌ-８-ａｚａｂｉｃｙｃｌｏ[３．２．１]ｏｃｔ-３-ｙｌ  ｈｙｄｒｏｘｙ（ｐｈｅｎｙｌ）ａｃｅｔａｔｅ）、スコポラミン（Ｓｃｏｐｏｌａｍｉｎｅ、（１Ｒ,２Ｒ,４Ｓ,５Ｓ,７ｓ）-９-Ｍｅｔｈｙｌ-３-ｏｘａ-９-ａｚａｔｒｉｃｙｃｌｏ[３．３．１．０２,４]ｎｏｎ-７-ｙｌ（２Ｓ）-３-ｈｙｄｒｏｘｙ-２-ｐｈｅｎｙｌｐｒｏｐａｎｏａｔｅ）、オイカトロピン（Ｅｕｃａｔｒｏｐｉｎｅ、１,２,２,６-Ｔｅｔｒａｍｅｔｈｙｌ-４-ｐｉｐｅｒｉｄｉｎｙｌ  ｈｙｄｒｏｘｙ（ｐｈｅｎｙｌ）ａｃｅｔａｔｅ）及びそれらの塩類を含むが、それらに限定されない。
毛様体筋麻痺剤は、散瞳薬とも呼ばれ、副交感神経遮断剤に属し、つまり非選択的なＭ型ムスカリン受容体遮断剤であり、ムスカリン受容体を阻断することで、瞳孔を制御する毛様体筋を麻痺させ又は緩め、更に瞳孔を拡大することができる。
【０２４０】
本発明の実施形態を前述の通り開示したが、これは、本発明を限定するものではなく、当業者であれば、本発明の精神と範囲から逸脱しない限り、多様の変更や修正を加えてもよく、したがって、本発明の保護範囲は、特許請求の範囲で指定した内容を基準とする。
【符号の説明】
【０２４１】
１０、１００、２００、３００、４００、５００、６００、７００、８００、９００、１０００、１１００：コンタクトレンズ
２０：浸潤溶液
３０：コンタクトレンズ製品
１１０、２１０、３１０：中心領域
１２０、２２０、３２０：環状領域
１３０、２３０、３３０：周辺領域
２４０Ａ、３４０Ａ：第１のカラーパターン部
２４０Ｂ、３４０Ｂ：第２のカラーパターン部
４５０、５５０、６５０、７５０、８５０、９５０、１０５０、１１５０：光遮断リング
Ｏ：中心点
ＰＯＷＣ：中心領域の光屈折率
ＰＰｍａｘ：環状領域の最大光屈折率  
ＰＰＨ：高臨界点値
ＰＰＭ：中臨界点値
ＰＰＬ：低臨界点値
ＤｉＣ：中心領域の最大直径
ＤｉＰ：環状領域の最大直径
ＣＰ１：第１の臨界点
ＣＰ２：第２の臨界点
ＣＰ３：第３の臨界点  
ＣＰ４：第４の臨界点
ＣＰ５：第５の臨界点
ＣＰ６：第６の臨界点
ＰＣＰ１：第１の臨界点値
ＰＣＰ２：第２の臨界点値
ＰＣＰ３：第３の臨界点値  
ＰＣＰ４：第４の臨界点値
ＰＣＰ５：第５の臨界点値
ＰＣＰ６：第６の臨界点値
ＣＨ：高臨界点
ＣＭ：中臨界点
ＣＬ：低臨界点
ＤＢｉ：光遮断リングの最小内径
Ｄｂｏ：光遮断リングの最大外径
Ｄｏ：コンタクトレンズの最大外径
ＣｏｎＡ：毛様体筋麻痺剤のコンタクトレンズ又は浸潤溶液に対する濃度の重量百分率
【図１】
2019008288.tif 000047
【図２Ａ】
2019008288.tif 000048
【図２Ｂ】
2019008288.tif 000049
【図２Ｃ】
2019008288.tif 000050
【図３Ａ】
2019008288.tif 000051
【図３Ｂ】
2019008288.tif 000052
【図３Ｃ】
2019008288.tif 000053
【図４】
2019008288.tif 000054
【図５】
2019008288.tif 000055
【図６】
2019008288.tif 000056
【図７】
2019008288.tif 000057
【図８】
2019008288.tif 000058
【図９】
2019008288.tif 000059
【図１０】
2019008288.tif 000060
【図１１】
2019008288.tif 000061
【図１２】
2019008288.tif 000062
【図１３】
2019008288.tif 000063
【図１４】
2019008288.tif 000064
【図１５】
2019008288.tif 000065
【図１６】
2019008288.tif 000066
【図１７】
2019008288.tif 000067
【図１８】
2019008288.tif 000068
【図１９】
2019008288.tif 000069
【図２０】
2019008288.tif 000070
【図２１】
2019008288.tif 000071
【図２２】
2019008288.tif 000072
【図２３】
2019008288.tif 000073
【図２４】
2019008288.tif 000074
【図２５】
2019008288.tif 000075
【図２６】
2019008288.tif 000076
【図２７】
2019008288.tif 000077